(57)【特許請求の範囲】
【請求項１】
マルチキャリア無線通信のための方法であって、
アップリンク非アンカーキャリアのグループのためにリソースを割り当てるアンカーキャリアを受信することと、
前記アップリンク非アンカーキャリアのグループのためにリソースを割り当てる前記アンカーキャリアで搬送されたアップリンクの承認を検出することと、
前記検出された承認にしたがって、前記アップリンク非アンカーキャリアのグループで送信することにより、前記割り当てられたリソースを利用することと、
前記アップリンクの承認が搬送された前記アンカーキャリアで、前記アップリンク非アンカーキャリア送信の受信の確認応答を受信することと、
複数のキャリアに対する確認応答のマッピングにアクセスすることと、
前記マッピングを利用して、各アップリンクキャリア送信に対する確認応答を解釈することと、
送信が失敗したと判断されたアップリンクキャリア送信を再送することと
を含む方法。
【請求項２】
前記アンカーキャリアで、共通システム情報を検出することと、
前記共通システム情報を使用することにより、前記アップリンク非アンカーキャリアのうちの少なくとも１つを捕捉することと
をさらに含む、請求項１に記載の方法。
【請求項３】
前記アンカーキャリアで、専用情報を受信することと、
前記専用情報を使用することにより、前記アップリンク非アンカーキャリアのうちの少なくとも１つを捕捉することと
をさらに含む、請求項１に記載の方法。
【請求項４】
複数のアンカーキャリアのうちの１つを受信することであって、各アンカーキャリアはキャリアのグループにリソースを割り当てるためのものである、受信することをさらに含む、請求項１に記載の方法。
【請求項５】
非アンカーキャリアを受信することと、
前記非アンカーキャリアにリソースを割り当てる前記非アンカーキャリアで搬送された承認を検出することと
をさらに含む、請求項１に記載の方法。
【請求項６】
リソースの割り当てをもはや要求しない別のキャリアの後に、前記アンカーキャリアとして以前に受信された非アンカーキャリアを受信することをさらに含む、請求項５に記載の方法。
【請求項７】
前記アンカーキャリアに同期することにより、シングルキャリア通信を開始することと、
シングルキャリア構成のユーザ機器のための承認を、前記アンカーキャリアで検出することと
をさらに含む、請求項１に記載の方法。
【請求項８】
前記アンカーキャリアの第１および第２の同期信号に同期することと、
システムの帯域幅と、物理ハイブリッド自動再送要求インジケータチャネル（ＰＨＩＣＨ）の構成と、システムのフレーム数とを知らせる、物理同報チャネル上のマスター情報ブロックを検出することと、
前記アンカーキャリアで、リソースのためのダウンリンク共用チャネル（ＤＬ−ＳＣＨ）上のシステム情報ブロックを検出することと
をさらに含む、請求項７に記載の方法。
【請求項９】
セル内周波数間ハンドオーバーによって、別のキャリアへのリダイレクションメッセージを実行することにより、前記シングルキャリア構成のユーザ機器のための前記承認を、前記アンカーキャリアで検出することをさらに含む、請求項７に記載の方法。
【請求項１０】
キャリアの位置と、キャリアの帯域幅と、キャリアのアップリンクまたはダウンリンクの指定と、キャリアのペアと、新たな制御領域とを含む、別のキャリアを利用するための前記アンカーキャリア上のシステム情報ブロックを検出することをさらに含む、請求項１に記載の方法。
【請求項１１】
前記アンカーキャリアで、アップリンクの承認を受信することと、
アップリンクキャリアとの非明示的なペアを判断することと
をさらに含む、請求項１に記載の方法。
【請求項１２】
前記アンカーキャリアで、アップリンクの承認を受信することと、
明示的に特定されたアップリンクキャリアを検出することと
をさらに含む、請求項１に記載の方法。
【請求項１３】
アップリンクアンカーキャリアで、複数のダウンリンクキャリアについてのチャネル品質インジケータ（ＣＱＩ）フィードバックを送信することをさらに含む、請求項１に記載の方法。
【請求項１４】
前記アンカーキャリア上の追加のシステム情報ブロックを検出することにより、ＣＱＩフィードバック構成を検出することをさらに含む、請求項１３に記載の方法。
【請求項１５】
リソース無線制御（ＲＲＣ）シグナリングを検出することにより、ＣＱＩフィードバック構成を検出することをさらに含む、請求項１３に記載の方法。
【請求項１６】
別のキャリアの受信を妨害する干渉を伝達するチャネル品質インジケータ（ＣＱＩ）フィードバックを報告することと、
前記干渉によって妨害されないキャリアにリソースを割り当てる承認を受信することと
をさらに含む、請求項１に記載の方法。
【請求項１７】
複数のキャリアの再利用のために、サービスするノードまたは干渉するノードのどちらかによる送信パワー制御変更の後に、前記干渉によって妨害されないキャリアにリソースを割り当てる前記承認を受信することをさらに含む、請求項１５に記載の方法。
【請求項１８】
前記アンカーキャリアの受信を妨害する干渉を受信することと、
非アンカーキャリアを含む別のキャリアを捕捉することと、
前記非アンカーキャリアにリソースを割り当てる前記非アンカーキャリアで搬送された承認を検出することと
をさらに含む、請求項１に記載の方法。
【請求項１９】
コンピュータ実行可能な命令を記憶した、マルチキャリア無線通信のためのコンピュータ可読記憶媒体であって、前記コンピュータ実行可能な命令は、少なくとも１つのプロセッサによって実行されると、
コンピュータに、アップリンク非アンカーキャリアのグループのためにリソースを割り当てるアンカーキャリアを受信させるための第１の命令のセットと、
前記コンピュータに、前記アップリンク非アンカーキャリアのグループのためにリソースを割り当てる前記アンカーキャリアで搬送されたアップリンクの承認を検出させるための第２の命令のセットと、
前記コンピュータに、前記検出された承認にしたがって、前記アップリンク非アンカーキャリアのグループで送信することにより、前記割り当てられたリソースを利用させるための第３の命令のセットと、
前記コンピュータに、前記アップリンクの承認が搬送された前記アンカーキャリアで、前記アップリンク非アンカーキャリア送信の受信の確認応答を受信させるための第４の命令のセットと、
前記コンピュータに、複数のキャリアに対する確認応答のマッピングにアクセスさせるための第５の命令のセットと、
前記コンピュータに、前記マッピングを利用して、各アップリンクキャリア送信に対する確認応答を解釈させるための第６の命令のセットと、
前記コンピュータに、送信が失敗したと判断されたアップリンクキャリア送信を再送させるための第７の命令のセットと
を含むコンポーネントを実現する、コンピュータ可読記憶媒体。
【請求項２０】
マルチキャリア無線通信のための装置であって、
アップリンク非アンカーキャリアのグループのためにリソースを割り当てるアンカーキャリアを受信するための手段と、
前記アップリンク非アンカーキャリアのグループのためにリソースを割り当てる前記アンカーキャリアで搬送されたアップリンクの承認を検出するための手段と、
前記検出された承認にしたがって、前記アップリンク非アンカーキャリアのグループで送信することにより、前記割り当てられたリソースを利用するための手段と、
前記アップリンクの承認が搬送された前記アンカーキャリアで、前記アップリンク非アンカーキャリア送信の受信の確認応答を受信するための手段と、
複数のキャリアに対する確認応答のマッピングにアクセスするための手段と、
前記マッピングを利用して、各アップリンクキャリア送信に対する確認応答を解釈するための手段と、
送信が失敗したと判断されたアップリンクキャリア送信を再送するための手段と
を含む装置。
【請求項２１】
マルチキャリア無線通信のための装置であって、
送信機と、
アップリンク非アンカーキャリアのグループのためにリソースを割り当てるアンカーキャリアを受信するための受信機と、
コンピュータのプラットフォームであって、
前記アップリンク非アンカーキャリアのグループのためにリソースを割り当てる前記アンカーキャリアで搬送されたアップリンクの承認を検出し、
前記検出された承認にしたがって、前記アップリンク非アンカーキャリアのグループで、前記送信機または受信機によって、前記割り当てられたリソースを利用し、
前記アップリンクの承認が搬送された前記アンカーキャリアで、前記アップリンク非アンカーキャリア送信の受信の確認応答を受信し、
複数のキャリアに対する確認応答のマッピングにアクセスし、
前記マッピングを利用して、各アップリンクキャリア送信に対する確認応答を解釈し、
送信が失敗したと判断されたアップリンクキャリア送信を再送する
ためのものである、コンピュータのプラットフォームと
を含む装置。
【請求項２２】
前記コンピュータのプラットフォームはさらに、前記アンカーキャリアで、共通システム情報を検出するためのものであり、
前記受信機はさらに、前記共通システム情報を使用することにより、前記アップリンク非アンカーキャリアのうちの少なくとも１つを捕捉するためのものである、
請求項２１に記載の装置。
【請求項２３】
前記受信機はさらに、前記アンカーキャリアで、専用情報を受信するためのものであり、前記専用情報を使用することにより、前記アップリンク非アンカーキャリアのうちの少なくとも１つを捕捉するためのものである、請求項２１に記載の装置。
【請求項２４】
前記受信機はさらに、複数のアンカーキャリアのうちの１つを受信するためのものであり、各アンカーキャリアは、キャリアのグループにリソースを割り当てるためのものである、請求項２１に記載の装置。
【請求項２５】
前記受信機はさらに、非アンカーキャリアを受信するためのものであり、
前記コンピュータのプラットフォームはさらに、前記非アンカーキャリアにリソースを割り当てる前記非アンカーキャリアで搬送された承認を検出するためのものである、
請求項２１に記載の装置。
【請求項２６】
前記受信機はさらに、リソースの割り当てをもはや要求しない別のキャリアの後に、前記アンカーキャリアとして以前に受信された前記非アンカーキャリアを受信するためのものである、請求項２５に記載の装置。
【請求項２７】
前記送信機はさらに、前記アンカーキャリアに同期することによって、シングルキャリア通信を開始するためのものであり、
前記コンピュータのプラットフォームはさらに、シングルキャリア構成のユーザ機器のための承認を、前記アンカーキャリアで検出するためのものである、
請求項２１に記載の装置。
【請求項２８】
前記受信機はさらに、前記アンカーキャリアの第１および第２の同期信号に同期するためのものであり、
前記コンピュータのプラットフォームはさらに、システムの帯域幅と、物理ハイブリッド自動再送要求インジケータチャネル（ＰＨＩＣＨ）構成と、システムフレーム数とを知らせる、物理同報チャネル上のマスター情報ブロックを検出するためのものであり、前記アンカーキャリアで、リソースのためのダウンリンク共用チャネル（ＤＬ−ＳＣＨ）上のシステム情報ブロックを検出するためのものである、
請求項２７に記載の装置。
【請求項２９】
前記コンピュータのプラットフォームはさらに、セル内周波数間ハンドオーバーによって、別のキャリアへのリダイレクションメッセージを実行することにより、前記シングルキャリア構成のユーザ機器のための前記承認を、前記アンカーキャリアで検出するためのものである、請求項２７に記載の装置。
【請求項３０】
前記コンピュータのプラットフォームはさらに、キャリアの位置と、キャリアの帯域幅と、キャリアのアップリンクまたはダウンリンクの指定と、キャリアのペアと、新たな制御領域とを含む、別のキャリアを利用するための前記アンカーキャリア上のシステム情報ブロックを検出するためのものである、請求項２１に記載の装置。
【請求項３１】
前記受信機はさらに、前記アンカーキャリアで、アップリンクの承認を受信するためのものであり、
前記コンピュータのプラットフォームはさらに、アップリンクキャリアに対する非明示的なペアを決定するためのものである、
請求項２１に記載の装置。
【請求項３２】
前記受信機はさらに、前記アンカーキャリアで、アップリンクの承認を受信するためのものであり、
前記コンピュータのプラットフォームはさらに、明示的に特定されたアップリンクキャリアを検出するためのものである、
請求項２１に記載の装置。
【請求項３３】
前記送信機はさらに、アップリンクアンカーキャリアで、複数のダウンリンクキャリアについてのチャネル品質インジケータ（ＣＱＩ）フィードバックを送信するためのものである、請求項２１に記載の装置。
【請求項３４】
前記コンピュータのプラットフォームはさらに、前記アンカーキャリア上の追加のシステム情報ブロックを検出することにより、ＣＱＩフィードバック構成を検出するためのものである、請求項３３に記載の装置。
【請求項３５】
前記コンピュータのプラットフォームはさらに、リソース無線制御（ＲＲＣ）シグナリングを検出することにより、ＣＱＩフィードバック構成を検出するためのものである、請求項３３に記載の装置。
【請求項３６】
前記送信機はさらに、別のキャリアの受信を妨害する干渉を伝達するチャネル品質インジケータ（ＣＱＩ）フィードバックを報告するためのものであり、
前記受信機はさらに、前記干渉によって妨害されないキャリアにリソースを割り当てる承認を受信するためのものである、
請求項２１に記載の装置。
【請求項３７】
前記受信機はさらに、複数のキャリアの再利用のために、サービスするノードまたは干渉するノードのどちらかによる送信パワー制御変更の後に、前記干渉によって妨害されない前記キャリアにリソースを割り当てる前記承認を受信するためものである、請求項３６に記載の装置。
【請求項３８】
前記受信機はさらに、前記アンカーキャリアの受信を妨害する干渉を受信するためのものであり、非アンカーキャリアを含む別のキャリアを捕捉するためのものであり、
前記コンピュータのプラットフォームはさらに、前記非アンカーキャリアにリソースを割り当てる前記非アンカーキャリアで搬送された承認を検出するためのものである、
請求項２１に記載の装置。
【請求項３９】
マルチキャリア無線通信システムで実行される方法であって、
ｅＮＢが、アンカーキャリアおよび非アンカーアップリンクキャリアのグループのためにリソースをスケジュールすることと、
前記ｅＮＢが、前記非アンカーアップリンクキャリアのグループにリソースを割り当てる前記アンカーキャリアで、承認を送信することと、
前記ｅＮＢが、前記承認にしたがって、前記非アンカーアップリンクキャリアのグループで送信することにより、前記割り当てられたリソースを利用する受け手と通信することと、
前記ｅＮＢが、前記アップリンクの承認を送信した前記アンカーキャリアで、前記アップリンクキャリア送信の受信の確認応答を送信することと、
ＵＥが、複数のキャリアに対する確認応答のマッピングにアクセスすることと、
前記ＵＥが、前記マッピングを利用して、各アップリンクキャリア送信に対する確認応答を解釈することと、
前記ｅＮＢが、受信が成功したと確認応答されなかったアップリンクキャリア送信の再送を受信することと
を含む方法。
【請求項４０】
前記ｅＮＢが、前記非アンカーアップリンクキャリアのうちの少なくとも１つを捕捉するための共通システム情報を決定することと、
前記ｅＮＢが、前記アンカーキャリアで、前記共通システム情報を送信することと
をさらに含む、請求項３９に記載の方法。
【請求項４１】
前記ｅＮＢが、前記非アンカーアップリンクキャリアのうちの少なくとも１つを捕捉するための専用情報を決定することと、
前記ｅＮＢが、前記アンカーキャリアで、前記専用情報を送信することと
をさらに含む、請求項３９に記載の方法。
【請求項４２】
前記ｅＮＢが複数のアンカーキャリアのうちの１つを送信することをさらに含み、各アンカーキャリアはキャリアのグループにリソースを割り当てる、請求項３９に記載の方法。
【請求項４３】
前記ｅＮＢが前記非アンカーキャリアにリソースを割り当てる前記非アンカーキャリアで承認を送信することをさらに含む、請求項３９に記載の方法。
【請求項４４】
前記ｅＮＢが、スケジューリングが非アンカーキャリアにとって必要でないと判断することと、
前記ｅＮＢが、前記アンカーキャリアとして以前に送信された非アンカーキャリアを送信することと
をさらに含む、請求項４３に記載の方法。
【請求項４５】
前記ｅＮＢが、シングルキャリア通信の開始を受信することと、
前記ｅＮＢが、シングルキャリア構成のユーザ機器のための承認を、前記アンカーキャリアで送信することと
をさらに含む、請求項３９に記載の方法。
【請求項４６】
前記ｅＮＢが、前記アンカーキャリアで、第１および第２の同期信号を送信することと、
前記ｅＮＢが、システムの帯域幅と、物理ハイブリッド自動再送要求インジケータチャネル（ＰＨＩＣＨ）構成と、システムフレーム数とを知らせるマスター情報ブロックを、物理同報チャネルで送信することと、
前記ｅＮＢが、前記アンカーキャリアで、前記アンカーキャリアのリソースのためのシステム情報ブロックを、ダウンリンク共用チャネル（ＤＬ−ＳＣＨ）で送信することと
をさらに含む、請求項４５に記載の方法。
【請求項４７】
前記ｅＮＢが、セル内周波数間ハンドオーバーによって、別のキャリアへのリダイレクションメッセージを送信することにより、前記シングルキャリア構成のユーザ機器のための前記承認を、前記アンカーキャリアで送信することをさらに含む、請求項４５に記載の方法。
【請求項４８】
前記ｅＮＢが、キャリアの位置と、キャリアの帯域幅と、キャリアのアップリンクまたはダウンリンクの指定と、キャリアのペアと、新たな制御領域とを含む、別のキャリアを利用するためのシステム情報ブロックを、前記アンカーキャリアで送信することをさらに含む、請求項３９に記載の方法。
【請求項４９】
前記ｅＮＢが、アップリンクキャリアに対する非明示的なペアとともに、前記アンカーキャリアで、アップリンクの承認を送信することをさらに含む、請求項３９に記載の方法。
【請求項５０】
前記ｅＮＢが、明示的に特定されたアップリンクのキャリアとともに、前記アンカーキャリアで、アップリンクの承認を送信することをさらに含む、請求項３９に記載の方法。
【請求項５１】
前記ｅＮＢが、アップリンクのアンカーキャリアで、複数のダウンリンクキャリアについてのチャネル品質インジケータ（ＣＱＩ）フィードバックを受信することをさらに含む、請求項３９に記載の方法。
【請求項５２】
前記ｅＮＢが、前記アンカーキャリアで、追加のシステム情報ブロックにより、ＣＱＩフィードバック構成を送信することをさらに含む、請求項５１に記載の方法。
【請求項５３】
前記ｅＮＢが、リソース無線制御（ＲＲＣ）シグナリングによって、ＣＱＩフィードバック構成を送信することをさらに含む、請求項５１に記載の方法。
【請求項５４】
前記ｅＮＢが、別のキャリアの受信を妨害する干渉を伝達するチャネル品質インジケータ（ＣＱＩ）フィードバックを受信することと、
前記ｅＮＢが、前記干渉によって妨害されないキャリアにリソースを割り当てる承認を送信することと
をさらに含む、請求項５１に記載の方法。
【請求項５５】
前記ｅＮＢが、複数のキャリアの再利用のために、隣接アンカーキャリアに干渉しないアンカーキャリアを選択することをさらに含む、請求項５４に記載の方法。
【請求項５６】
前記ｅＮＢが、隣接アンカーキャリアに干渉することを回避するために、前記アンカーキャリアの送信パワーを調節することをさらに含む、請求項５４に記載の方法。
【請求項５７】
前記ｅＮＢが、バックホール通信によって、隣接アンカーキャリアの送信パワーの調節を要求することをさらに含む、請求項５４に記載の方法。
【請求項５８】
前記ｅＮＢが、干渉によって妨害されていない前記アンカーキャリアを送信することと、
前記ｅＮＢが、非アンカーキャリアを含む別のキャリアを送信することと、
前記ｅＮＢが、前記非アンカーキャリアにリソースを割り当てる前記非アンカーキャリアで承認を送信することと
をさらに含む、請求項５４に記載の方法。
【請求項５９】
マルチキャリア無線通信のためのシステムであって、
アンカーキャリアおよび非アンカーアップリンクキャリアのグループのためにリソースをスケジュールするための手段と、
前記非アンカーアップリンクキャリアのグループにリソースを割り当てる前記アンカーキャリアで、承認を送信するための手段と、
前記承認にしたがって、前記非アンカーアップリンクキャリアのグループで送信することにより、前記割り当てられたリソースを利用する受け手と通信するための手段と、
前記アップリンクの承認を送信した前記アンカーキャリアで、前記アップリンクキャリア送信の受信の確認応答を送信するための手段と、
複数のキャリアに対する確認応答のマッピングにアクセスするための手段と、
前記マッピングを利用して、各アップリンクキャリア送信に対する確認応答を解釈するための手段と、
受信が成功したと確認応答されなかったアップリンクキャリア送信の再送を受信するための手段と
を含むシステム。
【請求項６０】
マルチキャリア通信のためのシステムであって、
アンカーキャリアおよび非アンカーアップリンクキャリアのグループのためにリソースをスケジュールするためのスケジューラと、
前記非アンカーアップリンクキャリアのグループにリソースを割り当てる前記アンカーキャリアで、承認を送信するための送信機と、
前記承認にしたがって、前記非アンカーアップリンクキャリアのグループで、前記割り当てられたリソースを利用する受け手と通信するための受信機と
を含み、少なくとも前記スケジューラ、前記送信機、または前記受信機は、個々に、または組み合わせで、のいずれかで、前記アップリンクの承認を送信した前記アンカーキャリアで、前記アップリンクキャリア送信の受信の確認応答を送信するようにさらに構成され、前記システムはさらに、
複数のキャリアに対する確認応答のマッピングにアクセスするための手段と、
前記マッピングを利用して、各アップリンクキャリア送信に対する確認応答を解釈するための手段と
を含み、少なくとも前記スケジューラ、前記送信機、または前記受信機は、個々に、または組み合わせで、のいずれかで、受信が成功したと確認応答されなかったアップリンクキャリア送信の再送を受信するようにさらに構成される、システム。
【請求項６１】
前記スケジューラはさらに、前記アップリンク非アンカーキャリアのうちの少なくとも１つを捕捉するための共通システム情報を決定するためのものであり、
前記送信機はさらに、前記アンカーキャリアで、前記共通システム情報を送信するためのものである、
請求項６０に記載のシステム。
【請求項６２】
前記スケジューラはさらに、前記アップリンク非アンカーキャリアのうちの少なくとも１つを捕捉するための専用情報を決定するためのものであり、
前記送信機はさらに、前記アンカーキャリアで、前記専用情報を送信するためのものである、
請求項６０に記載のシステム。
【請求項６３】
前記送信機はさらに、複数のアンカーキャリアのうちの１つを送信するためのものであり、各アンカーキャリアは、キャリアのグループにリソースを割り当てるためのものである、請求項６０に記載のシステム。
【請求項６４】
前記送信機はさらに、前記非アンカーキャリアにリソースを割り当てる前記非アンカーキャリアで承認を送信するためのものである、請求項６０に記載のシステム。
【請求項６５】
前記スケジューラはさらに、スケジューリングが非アンカーキャリアにとって必要でないと判断するためのものであり、
前記送信機はさらに、前記アンカーキャリアとして以前に送信された非アンカーキャリアを送信するためのものである、
請求項６４に記載のシステム。
【請求項６６】
前記受信機はさらに、シングルキャリア通信の開始を受信するためのものであり、
前記送信機はさらに、シングルキャリア構成のユーザ機器のための承認を、前記アンカーキャリアで送信するためのものである、
請求項６０に記載のシステム。
【請求項６７】
前記送信機はさらに、前記アンカーキャリアで、第１および第２の同期信号を送信するためのものであり、システムの帯域幅と、物理ハイブリッド自動再送要求インジケータチャネル（ＰＨＩＣＨ）構成と、システムフレーム数とを知らせるマスター情報ブロックを、物理同報チャネルで送信し、前記アンカーキャリアで、前記アンカーキャリアのリソースのためのシステム情報ブロックを、ダウンリンク共用チャネル（ＤＬ−ＳＣＨ）で送信するためのものである、請求項６６に記載のシステム。
【請求項６８】
前記送信機はさらに、セル内周波数間ハンドオーバーによって、別のキャリアにリダイレクションメッセージを送信することにより、前記シングルキャリア構成のユーザ機器のための前記承認を、前記アンカーキャリアで送信するためのものである、請求項６６に記載のシステム。
【請求項６９】
前記送信機はさらに、キャリアの位置と、キャリアの帯域幅と、キャリアのアップリンクまたはダウンリンクの指定と、キャリアのペアと、新たな制御領域とを含む、別のキャリアを利用するためのシステム情報ブロックを、前記アンカーキャリアで送信するためのものである、請求項６０に記載のシステム。
【請求項７０】
前記送信機はさらに、アップリンクキャリアに対する非明示的なペアとともに、前記アンカーキャリアで、アップリンクの承認を送信するためのものである、請求項６０に記載のシステム。
【請求項７１】
前記送信機はさらに、明示的に特定されたアップリンクキャリアとともに、前記アンカーキャリアで、アップリンクの承認を送信するためのものである、請求項６０に記載のシステム。
【請求項７２】
アップリンクのアンカーキャリアで、複数のダウンリンクキャリアについてのチャネル品質インジケータ（ＣＱＩ）フィードバックを受信することをさらに含む、請求項６０に記載のシステム。
【請求項７３】
前記アンカーキャリアで、追加のシステム情報ブロックにより、ＣＱＩフィードバック構成を送信することをさらに含む、請求項７２に記載のシステム。
【請求項７４】
リソース無線制御（ＲＲＣ）シグナリングによって、ＣＱＩフィードバック構成を送信することをさらに含む、請求項７２に記載のシステム。
【請求項７５】
別のキャリアの受信を妨害する干渉を伝達するチャネル品質インジケータ（ＣＱＩ）フィードバックを受信することと、
前記干渉によって妨害されないキャリアにリソースを割り当てる承認を送信することと
をさらに含む、請求項６０に記載のシステム。
【請求項７６】
複数のキャリアの再利用のために、隣接アンカーキャリアに干渉しないアンカーキャリアを選択することをさらに含む、請求項７５に記載のシステム。
【請求項７７】
隣接アンカーキャリアに干渉することを回避するために、前記アンカーキャリアの送信パワーを調節することをさらに含む、請求項７５に記載のシステム。
【請求項７８】
バックホール通信によって、隣接アンカーキャリアの送信パワーの調節を要求することをさらに含む、請求項７５に記載のシステム。
【請求項７９】
干渉によって妨害されていない前記アンカーキャリアを送信することと、
非アンカーキャリアを含む別のキャリアを送信することと、
前記非アンカーキャリアにリソースを割り当てる前記非アンカーキャリアで承認を送信すること
をさらに含む、請求項７５に記載のシステム。
【発明の詳細な説明】
【技術分野】
【０００１】
３５  Ｕ．Ｓ．Ｃ．§１１９下の優先権主張
本特許出願は、ここに参照することにより、ここに明確に組み込まれ、この譲受人に譲渡される、２００８年８月１１日に出願された「マルチキャリア無線通信システムにおけるシステム情報通信」（“SYSTEM INFORMATION COMMUNICATION IN A MULTIPLE CARRIER WIRELSS COMMUNICATION SYSTEM”）と題する、米国仮出願番号第６１／０８７，９５３号の優先権を主張する。
【０００２】
本特許出願は、ここに参照することにより、ここに明確に組み込まれ、この譲受人に譲渡される、２００８年１２月５日に出願された「ＬＴＥ−アドバンスドにおけるアンカーキャリアの概念」（“ANCHOR CARRIER CONCEPT IN LTE-ADVANCED”）と題する、米国仮出願番号第６１／１２０，２３２号の優先権を主張する。
【０００３】
本開示は、概して通信に関し、より詳細には、マルチキャリア通信のための方法、およびノード間のキャリア伝送を調整するための方法に関する。
【背景技術】
【０００４】
第３世代パートナーシップ・プロジェクト（３ＧＰＰ）のロング・ターム・エボリューション（Long Term Evolution：ＬＴＥ）は、セルラー技術における重要な進歩を象徴し、移動通信のためのグローバルシステム（ＧＳＭ（登録商標））およびユニバーサル・モバイル・テレコミュニケーション・システム（ＵＭＴＳ）の自然な進化形態としての、セルラー３Ｇサービスにおける次なる前進の一歩である。ＬＴＥは、毎秒５０メガビット（Ｍｂｐｓ）に及ぶアップリンク速度と、１００Ｍｂｐｓに及ぶダウンリンク速度を供給し、セルラーネットワークに、多大な技術的な恩恵を与える。ＬＴＥは、次の数十年間に向けて、データやメディアの高速転送だけでなく、大容量の音声サポートに対するキャリアのニーズに合うように設計されている。帯域幅は、１．２５ＭＨｚから２０ＭＨｚまで拡張可能である。これは、異なる帯域幅の割り当てを持つ種々のネットワークオペレータのニーズに合っており、さらに、スペクトルに基づいて、種々のサービスを提供することを、オペレータに可能にさせる。ＬＴＥは、３Ｇネットワークにおけるスペクトル効率を高めることを期待されており、所与の帯域幅にわたり、さらなるデータおよび音声サービスを提供することを、キャリアに可能にさせる。ＬＴＥは、高速データ、マルチメディア・ユニキャストおよびマルチメディア・ブロードキャスト・サービスを含む。
【０００５】
ＬＴＥの物理層（ＰＨＹ）は、強化された基地局（ｅＮｏｄｅＢ）および移動体ユーザ機器（ＵＥ）間で、データと制御情報の両方を伝達する、非常に効率的な手段である。ＬＴＥ ＰＨＹは、セルラーアプリケーションにとって新しい、いくつかの高度なテクノロジーを用いる。これらは、直交周波数分割多重化（ＯＦＤＭ）および多入力・多出力（ＭＩＭＯ）データ伝送を含む。さらに、ＬＴＥ ＰＨＹは、アップリンク（ＵＬ）では、シングルキャリア−周波数分割多元接続（ＳＣ−ＦＤＭＡ）を、ダウンリンク（ＤＬ）では、直交周波数分割多元接続（ＯＦＤＭＡ）を、使用する。ＯＦＤＭＡは、データが、特定された数のシンボル期間に、サブキャリアごとに、複数のユーザから、または複数のユーザへ、向けられることを、可能にする。
【０００６】
最近、ＬＴＥアドバンスドは、４Ｇサービスを提供するために進化中の移動体通信規格である。３Ｇテクノロジーとして規定されているため、ＬＴＥは、国際電気通信連合（International Telecommunication Union）によって規定されているＩＭＴアドバンスドとも呼ばれる４Ｇについての要件、たとえば毎秒１Ｇｂｉｔに及ぶピークデータレート、を満たしていない。ピークデータレートに加え、ＬＴＥアドバンスドは、さらに、セルのエッジでの向上した性能と、パワー状態間のより早いスイッチングを目標とする。
【発明の概要】
【０００７】
以下は、開示された態様のいくつかの態様の基本的な理解を提供するために、簡潔な概要を提示する。この概要は、広範な概観ではなく、そのような態様の範囲を示すことも、キーまたは重要な要素を特定することもしないことが意図される。その目的は、後に提示される、より詳細な説明への導入部として、簡潔な形で、説明される特徴のいくつかの概念を提示することである。
【０００８】
１つの態様において、方法が、以下の動作を行うために、コンピュータ可読記憶媒体に記憶された、コンピュータで実行可能な命令を実行する、プロセッサを用いることにより、マルチキャリア通信のために提供される：アンカーキャリアが受信される。別のキャリアにリソースを割り当てるアンカーキャリアで搬送された承認が検出される。割り当てられたリソースが、検出された承認にしたがって、別のキャリアで利用される。
【０００９】
別の態様では、コンピュータプログラム製品が、マルチキャリア通信のために提供される。少なくとも１つのコンピュータ可読記憶媒体が、少なくとも１つのプロセッサによって実行される場合にコンポーネントを実現する、コンピュータで実行可能な命令を記憶する：第１の命令のセットが、アンカーキャリアを受信するように、コンピュータにさせる。第２の命令のセットが、別のキャリアにリソースを割り当てるアンカーキャリアで搬送された承認を検出するように、コンピュータにさせる。第３の命令のセットが、検出された承認にしたがって、別のキャリアで、割り当てられたリソースを利用するように、コンピュータにさせる。
【００１０】
さらなる態様では、装置が、マルチキャリア通信のために提供される。少なくとも１つのコンピュータ可読記憶媒体が、少なくとも１つのプロセッサによって実行される場合にコンポーネントを実現する、コンピュータで実行可能な命令を記憶する。手段が、アンカーキャリアを受信するために提供される。手段が、別のキャリアにリソースを割り当てるアンカーキャリアで搬送された承認を検出するために提供される。手段が、検出された承認にしたがって別のキャリアで割り当てられたリソースを利用するために提供される。
【００１１】
さらなる態様では、装置が、送信機を含むことにより、マルチキャリア通信のために提供される。受信機が、アンカーキャリアを受信する。コンピュータのプラットフォームが、別のキャリアにリソースを割り当てるアンカーキャリアで搬送された承認を検出し、検出された承認にしたがい、別のキャリアで、送信機または受信機を介して、割り当てられたリソースを利用する。
【００１２】
さらなる１つの態様では、方法が、以下の動作を行うために、コンピュータ可読記憶媒体に記憶された、コンピュータで実行可能な命令を実行する、プロセッサを用いることにより、マルチキャリア通信のために、提供される。リソースが、アンカーキャリアと別のキャリアのためにスケジュールされる。承認が、別のキャリアにリソースを割り当てるアンカーキャリアで送信される。通信が、承認にしたがい、別のキャリアで、割り当てられたリソースを利用する受け手と行われる。
【００１３】
さらに別の態様では、コンピュータプログラム製品が、マルチキャリア通信のために、提供される。少なくとも１つのコンピュータ可読記憶媒体が、少なくとも１つのプロセッサによって実行される場合にコンポーネントを実現する、コンピュータで実行可能な命令を記憶する：第１の命令のセットが、アンカーキャリアと別のキャリアのためのリソースをスケジュールするように、コンピュータにさせる。第２の命令のセットが、別のキャリアにリソースを割り当てるアンカーキャリアで、承認を送信するように、コンピュータにさせる。第３の命令のセットが、承認にしたがって、別のキャリアで、割り当てられたリソースを利用する受け手と通信するように、コンピュータにさせる。
【００１４】
その上、さらなる態様では、装置が、マルチキャリア通信のために提供される。少なくとも１つのコンピュータ可読記憶媒体が、少なくとも１つのプロセッサによって実行される場合にコンポーネントを実現する、コンピュータで実行可能な命令を記憶する：手段が、アンカーキャリアと別のキャリアのためのリソースをスケジュールするために、提供される。手段が、別のキャリアにリソースを割り当てるアンカーキャリアで、承認を送信するために提供される。手段が、承認にしたがって、別のキャリアで、割り当てられたリソースを利用する受け手と通信するために、提供される。
【００１５】
その上、さらなる態様では、装置が、受信機を含むことによって、マルチキャリア通信のために、提供される。スケジューラが、アンカーキャリアと別のキャリアのために、リソースをスケジュールする。送信機が、別のキャリアにリソースを割り当てるアンカーキャリアで、承認を送信する。受信機が、承認にしたがって、別のキャリアで、割り当てられたリソースを利用する受け手と通信する。
【００１６】
別のさらなる態様では、方法が、以下の動作を行うために、コンピュータ可読記憶媒体に記憶された、コンピュータで実行可能な命令を実行する、プロセッサを用いることにより、ノード間のキャリアの伝送を調整するために、提供される：隣接セルが、第２のＵＥに無線サービスを提供するために、第２のキャリアを送信する一方、第１のキャリアが、第１のユーザ機器（ＵＥ）に無線サービスを提供するために送信される。隣接セルとの調整が行われるので、第１および第２のＵＥは、他方のキャリアからの妨害干渉（jamming interference）なしに各キャリアを受信する。
【００１７】
その上、別のさらなる態様では、コンピュータプログラム製品が、ノード間のキャリアの伝送を調整するために、提供される。少なくとも１つのコンピュータ可読記憶媒体が、少なくとも１つのプロセッサによって実行される場合にコンポーネントを実現する、コンピュータで実行可能な命令を記憶する：第１の命令のセットは、隣接セルが第２のＵＥに無線サービスを提供するために第２のキャリアを送信する一方で、第１のユーザ機器（ＵＥ）に無線サービスを提供するために第１のキャリアを送信するように、コンピュータにさせる。第２の命令のセットは、第１および第２のＵＥが、他方のキャリアからの妨害干渉なしに各キャリアを受信するよう、隣接セルと調整するように、コンピュータにさせる。
【００１８】
その上、別のさらなる態様では、装置が、ノード間のキャリア伝送を調整するために、提供される。少なくとも１つのコンピュータ可読記憶媒体が、少なくとも１つのプロセッサによって実行される場合にコンポーネントを実現する、コンピュータで実行可能な命令を記憶する：手段が、隣接セルが第２のＵＥに無線サービスを提供するために第２のキャリアを送信する一方で、第１のユーザ機器（ＵＥ）に無線サービスを提供するために第１のキャリアを送信するために提供される。手段が、第１および第２のＵＥが他方のキャリアからの妨害干渉なしに各キャリアを受信するように隣接セルと調整するために、提供される。
【００１９】
その上、さらに追加の態様では、装置が、受信機を含むノード間のキャリアの伝送を調整するために提供される。送信機は、隣接セルが、第２のＵＥに無線サービスを提供するために第２のキャリアを送信する一方で、第１のユーザ機器（ＵＥ）に無線サービスを提供するために第１のキャリアを送信する。スケジューラは、第１および第２のＵＥが、他方のキャリアからの妨害干渉なしに各キャリアを受信するように、隣接セルと調整する。
【００２０】
前述の、および関連する目的の達成のために、１つ以上の態様は、以下に十分に説明され、特許請求の範囲で特に指摘されている、特徴を含む。以下の説明および付属の図面は、特定の例証的な態様を詳細に述べ、態様の原理が用いられうるさまざまな方法のほんの数例のみを表す。他の利点および新規な特徴が、図面とともに考慮されると、以下の詳細な説明から明らかになるであろうし、開示されている態様は、すべてのそのような態様およびそれらの等価物を含むことが意図されている。
【００２１】
本開示の特徴、本質、および利点は、同様の参照番号が一致して同一のものを示している図面とともに考慮されると、以下に述べられている詳細な説明から、さらに明らかになるであそう。
【図面の簡単な説明】
【００２２】
【図１】マルチキャリア通信が調整され、ノード間のキャリア伝送が干渉を低減するように行われる、無線通信システムのブロック図である。
【図２】無線通信システムにおいて複数のキャリアを促進するための方法、またはひと続きの動作のためのフロー図である。
【図３】端末群にサービスする、および干渉する、基地局のブロック図である。
【図４】多元接続無線通信システムのブロック図である。
【図５】基地局と端末間の通信システムのブロック図である。
【図６】ネットワーク環境内のアクセスポイント基地局の配備を可能にするための通信システムのブロック図である。
【図７】１つの態様に係る、通信システム内で差別化された、さまざまな種類のキャリアを示す図である。
【図８】キャリア間の伝送パワー制御およびキャリアの選択を調整することにより、無線通信システムにおける通信を促進するための方法のフロー図である。
【図９】マルチキャリア無線通信のための電気コンポーネントの論理グループを含むユーザ機器等のシステムのブロック図である。
【図１０】マルチキャリア無線通信のための電気コンポーネントの論理グループを含むネットワークノード等のシステムのブロック図である。
【図１１】キャリア間の伝送パワー制御およびキャリアの選択を調整するための、電気コンポーネントの論理グループを含むネットワークノード等のシステムのブロック図である。
【図１２】マルチキャリア無線通信のための手段を有する装置のブロック図である。
【図１３】マルチキャリア無線通信のための手段を有する装置のブロック図である。
【図１４】キャリア間の伝送パワー制御およびキャリアの選択を調整するための手段を有する装置のブロック図である。
【詳細な説明】
【００２３】
ＬＴＥ−アドバンスドは、複数のダウンリンク（ＤＬ）およびアップリンク（ＵＬ）のキャリアのための規定を有する。キャリアの中で、Ｒｅｌ−８および／またはＬＴＥ−ＡのＵＥｓに、同期、システム情報、ページング、データ、および制御を提供するための、いくつかの特別な、構成によって指定されたキャリアを有することが、有益である。それにより、オーバーヘッドシステム情報が低減されうる。たとえば、特定のセルについての同期およびページングは、全キャリアに提供されない。１つの態様において、アンカーキャリアは、ＬＴＥ端末のためのレガシーキャリアとして機能することができ、レガシー端末のデータ領域内の新たな制御領域、同報、同期、およびアクセスについて、新しい（リリース９／１０の）端末に、サポートを提供する。干渉を軽減するアンカーキャリアを選択するための、および、非アンカーキャリアの送信パワー制御のための、ノード間の調整は、さらなるネットワークパフォーマンスのメリットを提供する。
【００２４】
さまざまな態様が、図面を参照して、ここで説明される。以下の説明では、説明のために、数多くの具体的な詳細が、１つ以上の態様の完全な理解を提供するために、述べられる。しかしながら、さまざまな態様がこれらの具体的な詳細なしでも実施されうることは、明らかであろう。他の例では、周知の構造およびデバイスが、これらの態様の説明を容易にするために、ブロック図の形式で示されている。
【００２５】
図１を参照すると、通信システム１００は、エボルブド・ベース・ノード（evolved Base Node：ｅＮＢ）１０４として示されているマルチキャリア基地局から、ダウンリンク（ＤＬ）キャリアのサブセットを捕捉することを、高度な能力を持つユーザ機器（ＵＥ）１０２に、可能にさせる。特に、アンカーキャリア１０６ａ、１０６ｂは、他のキャリア１１０ａ−１１０ｃについての、ＵＥ１０２のためのダウンリンク（ＤＬ）およびアップリンク（ＵＬ）の承認１０８をスケジュールすることができる。別の態様において、このスケジューリングは、１つ以上のアンカーキャリア１０６ａ、１０６ｂのリソースを含みうる。
【００２６】
アクセスポイント（ＡＰｓ）群が単一のノード内にありうることが、理解されるべきである。たとえば、ＡＰｓ群が、直交リソースなしで、ＵＥｓに連帯的にサービスすることもある。代替として、単一のＡＰが、複数のノードを動作することもある。
【００２７】
１つの態様において、ＬＴＥ−アドバンスド（たとえば、Ｒｅｌ−９／Ｒｅｌ−１０）のためのマルチキャリア設計は、各リンクによる帯域幅の専用化（dedication）の制限なしに、アンカーキャリアをサポートする。たとえば、帯域幅の専用化は、ＵＬとＤＬで対称的に同一であってもよい。別の例として、帯域幅の専用化は、ＵＬとＤＬのトラフィック要求に依存する場合、ＵＬとＤＬについて非対称的であってもよい。同様に、キャリアの帯域幅は、キャリアにわたって一様、またはキャリアにわたって異なってもよい。ＵＬ／ＤＬキャリアのペアは、同数のＵＬおよびＤＬのキャリアによって、１対１であってもよい。代替として、ＵＬ／ＤＬキャリアのペアは、異なる数のＵＬおよびＤＬキャリアによって、多数対１、または１対多数であってもよい。ＵＬキャリアは、１つのＵＥへの複数のキャリアの割り当ての柔軟性を提供するＯＦＤＭＡ（直交周波数分割多元接続）であってもよい。その代わりに、ＳＣ−ＦＤＭＡ（シンクロナス符号分割多元接続）ベースの信号が、アンカーキャリアに使用されてもよい。さらなる代わりとして、ＯＦＤＭＡ／ＳＣ−ＦＤＭＡのハイブリッドが、これら２つの間のスイッチングにより、階層化された環境をサポートしうる。
【００２８】
アンカーキャリアの実施の概要として、コロケートされた（collocated）アンカーおよび非アンカーキャリア１０６ａ−１０６ｂ、１１０ａ−１１０ｃを有することは、通信システム１００にとって、有利かつ実用的であろう。リソースが十分な場合、システム情報、制御、および、おそらくはデータを搬送する異なるキャリアのグループのために、いくつかのアンカーキャリアがあってもよい。たとえば、アンカーキャリア１０６ａは、キャリア１０６ａ、１１０ａ、１１０ｂのサブセットであるグループ１１２をサポートしうる。その代わりに、または加えて、アンカーキャリア１０６ｂは、別のキャリア１０６ａによってサポートされるキャリア１０６ａ、１１０ａ、１１０ｂとオーバーラップするキャリア１０６ａ、１０６ｂ、１１０ａ−１１０ｃのグループをサポートしうる。
【００２９】
ダウンリンクキャリア１０６ａ、１０６ｂ、１１０ａ−１１０ｃの送信は、複数のアンテナ（図示せず）によって行われうる。その代わりに、または加えて、複数のｅＮＢ１０４が、ＵＥ１０２との通信において、協同してもよい。その目的のために、スケジューラ１１４が、バックホールネットワーク１１６（たとえば、有線、無線）によって調整されたリソースの割り当てを行う。キャリアのサブセットのシグナリングを統合する利益は、ｅＮＢ１０４について、そのようなオーバーヘッドの減少を実現可能にし、それによって、ＵＥ１０２による複数のキャリアにわたる制御のために要求されるサーチを行うことと、アップリンクのハイブリッド自動再送要求（ＨＡＲＱ）フィードバックのマッピングとを減少させる。
【００３０】
有利に、いくつかのキャリア１０６ｂ、１１０ｃは、１つのキャリア１１０ｃ、およびその対応のアップリンク１２０に、レガシーＤＬおよびＵＬリソースの承認１１８を供給することにより、マルチキャリア受信のできないレガシーＵＥｓ１１７との下位互換性のためのサポートを提供しうる。これは、アンカーキャリアに、下位互換性を提供する。特に、第１の同期信号（ＰＳＳ）および第２の同期信号（ＳＳＳ）は同期用のキャリアに供給され、ＭＩＢ（マスター情報ブロック）は、アンカーキャリアのみに対応する、システム帯域幅、ＰＨＩＣＨ（物理ハイブリッドＡＲＱインジケータチャネル（Physical Hybrid ARQ Indicator Channel））の構成、およびシステムフレーム数用のＰＢＣＨ（Physical Broadcast Channel：物理同報チャネル）に、供給されうる。ＳＩＢｓ（システム情報ブロック）は、ＤＬ−ＳＣＨ(ダウンリンク共用チャネル（Downlink Shared Channel）)に供給されうる。１つの態様において、レガシーＵＥｓ１１７は、セル内周波数間ハンドオーバーメッセージによって、アンカーから別のＤＬキャリアに、リダイレクト（redirected）されうる。
【００３１】
さらに、それがアンカーとして規定されるキャリアのグループがない（empty）という、特別な場合を考慮すると、それは、レギュラー（非アンカー）キャリアになることができ、同報、制御、およびデータは、そのキャリアにのみ適用可能である。
【００３２】
システム情報を伝達するという点で、例証的な態様において、アンカーキャリアの追加のＳＩＢｓは、マルチキャリア情報、たとえば、キャリアの位置、キャリアの帯域幅、キャリアの指定（ＵＬ／ＤＬ）、キャリアのペア、他のアンカー（ＵＬおよびＤＬ）キャリア、および新たな制御領域を、提供しうる。１つの態様において、追加のＳＩＢｓは、レガシーＵＥｓにとって透過的であることができる。
【００３３】
例示的な態様における非アンカーキャリアは、新種のＵＥｓによって使用されるアンカーキャリアによってその代わりに提供される、下位互換性を提供しなくてもよい。
【００３４】
ＤＬの承認に関し、レガシーＵＥは、このように、同一のキャリアにリソースを割り当てる同一のアンカーキャリアで、ＤＬの承認を受信する。高度な能力（たとえば、Ｒｅｌ−９／１０）を持つＵＥは、別のＤＬキャリアで、ＤＬリソースのために、アンカーキャリアからのＤＬの承認を受信することができる。１つの態様において、アンカーキャリアは、割り当てられたキャリアのグループをサポートする。別の態様において、各アンカーキャリアは、別のＤＬアンカーキャリアによって同様に割り当てられた非アンカーキャリアまたは他のアンカーキャリアを含む複数のキャリアで、ＤＬの承認を送信することができる。さらなる態様において、ＤＬ非アンカーキャリアは、レガシーＵＥｓのために行われるのと同様に、そのキャリアのみのために、ＤＬリソースを割り当てるＤＬの承認を送信することができる。
【００３５】
ＵＬの承認に関し、レガシーＵＥは、アンカーキャリアとペアになったＵＬキャリアにリソースを割り当てるアンカーキャリアで、ＵＬの承認を受信する。高度なＵＥ（たとえば、Ｒｅｌ−９／１０）は、それがアンカーキャリアとして規定されている（すなわち、グループ化または非グループ化された）他のＵＬキャリアにＵＬリソースを割り当てるアンカーキャリアで、ＵＬの承認を受信する。１つの態様において、ＵＬキャリアは、それがアンカーキャリアとして規定されているＤＬキャリアとペアになっている。１つの態様において、アンカーキャリアではないＤＬキャリアのＵＬの承認は、レガシーＵＥｓに使用されるものと同様に、それとペアになっているＵＬキャリアのためのリソースのみを割り当てうる。
【００３６】
ＨＡＲＱに関し、１つの態様において、ｅＮＢは、ＵＬの承認を送ったＤＬキャリアで、ＵＬ ＨＡＲＱフィードバックを送信する。マルチキャリアの承認については、別の態様において、異なるＵＬキャリアについてのＨＡＲＱフィードバックが、マルチキャリアの承認が送られたアンカーキャリアで送られうる。リソースマッピングは、異なるキャリアのためのＡＣＫｓ（確認応答）が区別されるように調節されうる。ＵＬでのＤＬ ＨＡＲＱフィードバックは、承認が送られたＤＬキャリアとペアになっているＵＬキャリアで届きうる。マルチキャリアの承認については、異なるＤＬキャリアについてのＨＡＲＱフィードバックが、承認が送られたアンカーキャリアとペアになっているＵＬで送られうる。リソースマッピングは、異なるキャリアのためのＡＣＫｓが区別されるようになっている。１つの態様において、レガシーＵＬは、たとえば、ＰＤＣＣＨ（Physical Downlink Control Channel：物理ダウンリンク制御チャネル）のＤＣＩ（Downlink Control Information：ダウンリンク制御情報）の第１のＣＣＥ（Control Channel Element：制御チャネル要素）に基づいて、すべてのＤＬの割り当てを伝達するために１つのアンカーキャリアを使用することにより、非明示的に実現される。
【００３７】
ＵＬでのＣＱＩ（チャネル品質インジケータ）フィードバックについては、１つの態様において、複数のＤＬキャリアのためのＣＱＩフィードバックが、アンカーＵＬキャリアで伝達されうる。例証的な実施において、アンカーＵＬキャリアは、追加のＳＩＢｓ（システム情報ブロック）において、または（ＵＥごとの）ＲＲＣ（無線リソース制御）シグナリングによって、規定される。例示的な態様において、ＵＬキャリアは、非明示的なシグナリングを可能にするＤＬアンカーキャリアとペアになっている。
【００３８】
スケジューラ１１４は、有利に、一方的に、非協同セル１３０からの干渉を受けにくいキャリアに、リソースを割り当てることができる。スケジューラ１１４は、異なるアンカーキャリア１３６、１３８を使用するように、協同セル１３４と、バックホール通信１３２によって調整することができる。スケジューラ１１４は、非アンカーキャリア１４０、１４２の送信パワー調節を調整することができるので、それらは、シングルキャリアサービスのために使用されることができ、または協同セル１３４によってサービスされるＵＥ１４４への干渉を回避するために使用されることができる。
【００３９】
図２において、動作２００の方法または順序が、マルチキャリア通信のために、提供される。ブロック２０２において、ＵＥは、アンカーキャリアを受信する。ＵＥは、アンカーキャリア上の共通システム情報または専用情報を検出する（ブロック２０４）。ＵＥは、共通システム情報または専用情報を使用することにより、別のキャリアを捕捉する（ブロック２０６）。１つの態様において、ＵＥは、キャリアの位置、キャリアの帯域幅、キャリアのアップリンクまたはダウンリンクの指定、キャリアのペア、および新たな制御領域を含む、別のキャリアで利用するための、アンカーキャリア上のシステム情報ブロックを検出する（ブロック２０８）。別の態様において、ＵＥは、非アンカー等の別のキャリアにリソースを割り当てるアンカーキャリアで搬送された承認を検出する（ブロック２１０）。割り当ては、排他的にグループ化されても、オーバーラップしてもよく、複数の特定のアンカーキャリアが、どちらも、１つの特定のキャリアに関するリソースを割り当ててもよい（ブロック２１２）。ＵＥは、検出された承認にしたがって、別のキャリアに割り当てられたリソースを利用する（ブロック２１４）。ＵＥは、アップリンクの承認を送ったアンカーキャリアで、アップリンクキャリア送信の、ノードによる受信の確認応答を受信する（ブロック２１６）。
【００４０】
いくつかの例において、ＵＥは、リソースの割り当てをもはや要求しない別のキャリアの後に、アンカーキャリアとして以前に受信された非アンカーキャリアを受信しうる（ブロック２１８）。
【００４１】
別の例において、レガシーＵＥは、キャリア（アンカーまたは非アンカー）の１つに同期することにより、シングルキャリア通信を開始しうる。たとえば、ＵＥは、アンカーキャリアの第１および第２の同期信号に同期することと、システムの帯域幅、物理ハイブリッド自動再送要求インジケータチャネル（ＰＨＩＣＨ）構成、システムフレーム数を知らせる物理同報チャネル上のマスター情報ブロックを検出することと、アンカーキャリアで、リソースのためのダウンリンク共用チャネル（ＤＬ−ＳＣＨ）上のシステム情報ブロックを検出すること、とを行うことができる（ブロック２２０）。マルチキャリア動作の代わりに、ノードは、セル内周波数間ハンドオーバーによって、別のキャリアへ、リダイレクション（redirection）メッセージにより、シングルキャリアＵＥを仕向けうる（ブロック２２２）。
【００４２】
マルチキャリア動作は、有利にフィードバックに対処できる。たとえば、ＵＥは、アップリンクの承認を送ったアンカーキャリアで、アップリンクキャリア送信の各々の受領の確認応答を受信することができる（ブロック２２４）。ＵＥが複数のアップリンクで送信している限り、ＵＥは、複数のキャリアへの確認応答のマッピングにアクセスし（ブロック２２６）、マッピングを利用する各アップリンクキャリア送信についての確認応答を読み取る（ブロック２２８）。ＵＥは、送信が失敗したと判断されたアップリンクキャリア送信を再送する（ブロック２３０）。
【００４３】
さらに、ＵＥは、たとえば、アンカーキャリア上の追加のシステム情報ブロックを検出することにより（ブロック２３４）、またはリソース無線制御（ＲＲＣ）シグナリングを検出することにより（ブロック２３６）、アップリンクアンカーキャリアで、複数のダウンリンクキャリアのためのチャネル品質インジケータ（ＣＱＩ）フィードバックを送信しうる（ブロック２３２）。
【００４４】
ＵＥが、キャリアの受信を妨害する干渉を伝達するＣＱＩフィードバックを報告する場合（ブロック２３８）、ＵＥは、干渉によって妨害されないキャリアにリソースを割り当てる承認を受信する（ブロック２４０）。妨害されないキャリアを使えるようにすることは、複数のキャリアの再利用のために、サービスするノードまたは干渉するノードのいずれかによる送信パワー制御変更を調整するノードの結果でありうる（ブロック２４２）。１つの態様において、マルチキャリアが可能なＵＥは、調整によって利用可能となる非アンカーキャリアによるシングルキャリア通信を使用することもできる（ブロック２４４）。
【００４５】
図３に示した例において、基地局３１０ａ、３１０ｂ、および３１０ｃは、それぞれ、マクロセル３０２ａ、３０２ｂ、および３０２ｃのマクロ基地局でありうる。基地局３１０ｘは、端末３２０ｘと通信するピコセル３０２ｘのピコ基地局でありうる。基地局３１０ｙは、端末３２０ｙと通信するフェムトセル３０２ｙのフェムト基地局でありうる。簡潔さのため、図３に示していないが、マクロセルは、エッジでオーバーラップしうる。ピコおよびフェムトセルは、（図３に示したように）マクロセル内に位置しうるか、マクロセルおよび／または他のセルとオーバーラップしうる。
【００４６】
無線ネットワーク３００は、さらに、中継局、たとえば、端末３２０ｚと通信する中継局３１０ｚを含みうる。中継局は、上流の局から、データおよび／または他の情報の送信を受信し、下流の局へ、データおよび／または他の情報の送信を送る局である。上流の局は、基地局、別の中継局、または端末でありうる。下流の局は、端末、別の中継局、または基地局でありうる。また、中継局は、他の端末の伝送を中継する端末であってもよい。中継局は、低い再利用のプリアンブルを送信および／または受信しうる。たとえば、中継局は、ピコ基地局と同じように、低い再利用のプリアンブルを送信し、端末と同じように、低い再利用のプリアンブルを受信しうる。
【００４７】
ネットワーク制御装置３３０は、基地局のセットに結合され、これらの基地局に、調整および制御を提供しうる。ネットワーク制御装置３３０は、単一のネットワークエンティティ、またはネットワークエンティティの集まりでありうる。ネットワーク制御装置３３０は、バックホールを介して、基地局３１０と通信しうる。バックホールネットワーク通信３３４は、そのような分散型のアーキテクチャを用いる基地局３１０ａ−３１０ｃ間のポイント・ツー・ポイント通信を容易にする。基地局３１０ａ−３１０ｃは、たとえば、直接的または間接的に、無線または有線のバックホールを介して、互いに通信しうる。
【００４８】
無線ネットワーク３００は、マクロ基地局のみを含む同種ネットワークであってもよい（図３には図示せず）。また、無線ネットワーク３００は、異なるタイプの基地局、たとえば、マクロ基地局、ピコ基地局、ホーム基地局、中継局、等を含む異種ネットワークであってもよい。これらの異なるタイプの基地局は、無線ネットワーク３００において、異なる送信パワーレベル、異なるカバレッジエリア、および干渉への異なる影響を持ちうる。たとえば、マクロ基地局が、高い送信パワーレベル（たとえば、２０ワット）を持ちうるのに対し、ピコおよびフェムト基地局は、低い送信パワーレベル（たとえば、３ワット）を持ちうる。ここに説明されている技術は、同種および異種のネットワークに使用されうる。
【００４９】
端末３２０は、無線ネットワーク３００中に分散し、各端末は、固定的または可動でありうる。また、端末は、アクセス端末（ＡＴ）、移動局（ＭＳ）、ユーザ機器（ＵＥ）、加入者ユニット、局、等と呼ばれうる。端末は、セルラー電話、携帯情報端末（ＰＤＡ）、無線モデム、無線通信デバイス、ハンドヘルドデバイス、ラップトップコンピュータ、コードレス電話、無線ローカルループ（ＷＬＬ）局、等でありうる。端末は、ダウンリンクおよびアップリンクで基地局と通信しうる。ダウンリンク（すなわちフォワードリンク）は、基地局から端末への通信リンクのことを言い、アップリンク（すなわちリバースリンク）は、端末から基地局への通信リンクのことを言う。
【００５０】
端末は、マクロ基地局、ピコ基地局、フェムト基地局、および／または他のタイプの基地局と通信可能でありうる。図３において、両側矢印の実線は、端末とサービスする基地局間の所望の伝送を示し、それは、ダウンリンクおよび／またはアップリンクで端末にサービスするように指定された基地局である。両側矢印の破線は、端末と基地局間の干渉する伝送を示す。干渉する基地局とは、ダウンリンクで端末への干渉を引き起こし、および／または、アップリンクでその端末からの干渉を観測する、基地局である。
【００５１】
無線ネットワーク３００は、同期または非同期動作をサポートしうる。同期動作において、基地局は、同一のフレームタイミングを有し、異なる基地局からの送信は、時間的に一直線に並ぶことができる。非同期動作において、基地局は異なるフレームタイミングを有し、異なる基地局からの送信は、時間的に一直線に並ぶことができない。非同期動作は、ピコおよびフェムト基地局にとって、より一般的であり、それは、室内に配備され、グローバルポジショニングシステム（ＧＰＳ）といった同期ソースへのアクセスを持つことができない。
【００５２】
１つの態様において、システムのキャパシティを拡充するために、各基地局３１０ａ−３１０ｃに対応するカバレッジエリア３０２ａ、３０２ｂ、または３０２ｃは、複数のより小さなエリア（たとえば、３０４ａ、３０４ｂ、および３０４ｃ）に分割されうる。より小さなエリア３０４ａ、３０４ｂ、および３０４ｃの各々は、各基地トランシーバ・サブシステム（base transceiver subsystem：ＢＴＳ、図示せず）によってサービスされうる。ここで、および当該技術で一般的に、使用されているように、「セクタ」という用語は、その用語が使用される文脈によって、ＢＴＳおよび／またはそのカバレッジエリアのことを呼びうる。一例において、セル３０２ａ、３０２ｂ、３０２ｃにおけるセクタ３０４ａ、３０４ｂ、および３０４ｃは、基地局３１０のアンテナのグループ（図示せず）によって形成されることができ、各アンテナのグループは、セル３０２ａ、３０２ｂ、または３０２ｃの一部における端末３２０との通信に責任を持つ。たとえば、セル３０２ａにサービスする基地局３１０は、セクタ３０４ａに対応する第１のアンテナグループ、セクタ３０４ｂに対応する第２のアンテナグループ、およびセクタ３０４ｃに対応する第３のアンテナグループを持ちうる。しかし、ここに開示されているさまざまな態様が、セクタ化および／または非セクタ化セルを持つシステムで使用されうることが、理解されるべきである。さらに、任意の数のセクタ化および／または非セクタ化セルを持つ、すべての好適な無線通信ネットワークが、ここに付属の特許請求の範囲内にあると意図されるということが理解されるべきである。簡潔さのために、ここで使用されている「基地局」という用語は、セルにサービスする局ならびにセクタにサービスする局の両方を言いうる。ここで使用されているように、ディスジョイントリンク（disjoint link）のシナリオにおける、ダウンリンクのセクタは、隣接セクタであるということが理解されるべきである。以下の説明は、概して、システムに関し、その中で、各端末は、簡潔さのために、１つのサービスアクセスポイントと通信しているが、端末が任意の数のサービスアクセスポイントと通信しうることが、理解されるべきである。
【００５３】
図４を参照すると、１つの実施形態に係る複数のアクセス無線通信システムが示されている。アクセスポイント（ＡＰ）４００は、複数のアンテナグループを含み、１つは４０４と４０６を含み、もう１つは４０８と４１０を含み、さらにもう１つは４１２と４１４を含む。図４において、２つのアンテナのみが各アンテナグループのために示されているが、より多くの、またはより少ないアンテナが、各アンテナグループに利用されてもよい。アクセス端末（ＡＴ）４１６は、アンテナ４１２および４１４と通信しているが、アンテナ４１２および４１４は、フォワードリンク４２０で、アクセス端末４１６に情報を送信し、リバースリンク４１８で、アクセス端末４１６から情報を受信する。アクセス端末４２２は、アンテナ４０６および４０８と通信しているが、アンテナ４０６および４０８は、フォワードリンク４２６で、アクセス端末４２２に情報を送信し、リバースリンク４２４で、アクセス端末４２２から情報を受信する。ＦＤＤシステムにおいて、通信リンク４１８、４２０、４２４および４２６は、通信のために異なる周波数を使用しうる。たとえば、フォワードリンク４２０は、リバースリンク４１８で使用されるのとは異なる周波数を使用しうる。
【００５４】
各アンテナのグループ、および／またはそれらが通信するように意図されているエリアは、しばしばアクセスポイントのセクタと呼ばれる。態様において、アンテナのグループの各々は、アクセスポイント４００によってカバーされるエリアの、あるセクタにおいて、アクセス端末に通信するように意図される。
【００５５】
フォワードリンク４２０および４２６での通信において、アクセスポイント４００の送信アンテナは、異なるアクセス端末４１６および４２２のフォワードリンクの信号対ノイズ比を改善するために、ビームフォーミングを利用する。また、そのカバレッジ中にばらばらに分散したアクセス端末に送信するためにビームフォーミングを使用するアクセスポイントは、そのアクセス端末のすべてに単一のアンテナによって送信するアクセスポイントよりも、隣接セルのアクセス端末に対し、より少ない干渉を生じる。
【００５６】
アクセスポイントは、端末と通信するために使用される固定の局であってもよく、アクセスポイント、ノードＢ、または、ある他の専門用語で呼ばれてもよい。さらに、アクセス端末は、アクセス端末、ユーザ機器（ＵＥ）、無線通信デバイス、端末、アクセス端末、または、ある他の専門用語で呼ばれてもよい。
【００５７】
図５は、基地局５０２と端末５０４間の通信システム５００の設計のブロック図を示し、それらは、図１の基地局の１つ、および端末の１つでありうる。基地局５０２は、ＴＸアンテナ５３４ａ−５３４ｔを備え、端末５０４は、ＲＸアンテナ５５２ａ−５５２ｒを備え、概して、Ｔ≧１およびＲ≧１である。
【００５８】
基地局５０２において、送信プロセッサ５２０は、データソース５１２からトラフィックデータを、制御装置／プロセッサ５４０からメッセージを、受信しうる。送信プロセッサ５２０は、トラフィックデータとメッセージを処理（たとえば、符号化、インターリーブ、および変調）し、それぞれデータシンボルと制御シンボルを供給しうる。さらに、送信プロセッサ５２０は、基準信号および／または他のパイロットのためのパイロットシンボルおよび低い再利用のプリアンブルのためのデータシンボルおよびパイロットシンボルを生成しうる。送信（ＴＸ）多入力・多出力（ＭＩＭＯ）プロセッサ５３０は、適宜、データシンボル、制御シンボル、および／またはパイロットシンボルに、空間的な処理（たとえば、プリコーディング）を行い、Ｔ個の変調器（ＭＯＤｓ）５３２ａ−５３２ｔにＴ個の出力シンボルストリームを供給しうる。各変調器５３２は、出力サンプルストリームを得るために、（たとえば、ＯＦＤＭ、ＳＣ−ＦＤＭ等のための）各出力シンボルストリームを処理しうる。各変調器５３２は、ダウンリンク信号を得るために、出力サンプルストリームを、さらに処理（たとえば、アナログ変換、増幅、フィルタ、およびアップコンバート）しうる。変調器５３２ａ−５３２ｔからのＴ個のダウンリンク信号は、それぞれ、Ｔ個のアンテナ５３４ａ−５３４ｔによって送信されうる。
【００５９】
端末５０４において、アンテナ５５２ａ−５５２ｒは、基地局５０２からダウンリンク信号を受信し、それぞれ、復調器（ＤＥＭＯＤｓ）５５４ａ−５５４ｒに、受信された信号を供給しうる。各復調器５５４は、入力サンプルを得るために、それぞれの受信された信号を調整（condition）（たとえば、フィルタ、増幅、ダウンコンバート、およびデジタル化）しうる。さらに、各復調器５５４は、受信されたシンボルを得るために、（たとえば、ＯＦＤＭ、ＳＣ−ＦＤＭ等のための）入力サンプルを処理しうる。ＭＩＭＯ検出器５５６は、Ｒ個の復調器５５４ａ−５５４ｒからの受信されたシンボルを得て、適宜、受信されたシンボルにＭＩＭＯ検出を行い、検出されたシンボルを供給しうる。受信プロセッサ５５８は、検出されたシンボルを、処理（たとえば、復調、デインターリーブ、および復号化）し、データシンク５６０に、端末５０４の復号化されたトラフィックデータを供給し、制御装置／プロセッサ５８０に復号化されたメッセージを供給しうる。低い再利用プリアンブル（ＬＲＰ）プロセッサ５８４は、基地局からの低い再利用プリアンブルを検出し、制御装置／プロセッサ５８０に、検出された基地局またはセルの情報を提供しうる。
【００６０】
アップリンクでは、端末５０４において、送信プロセッサ５６４は、データソース５６２からのトラフィックデータ、および制御装置／プロセッサ５８０からのメッセージを、受信および処理しうる。送信プロセッサ５６４からのシンボルは、適宜、ＴＸ ＭＩＭＯプロセッサ５６８によってプリコードされ、さらに、変調器５５４ａ−５５４ｒによって処理され、基地局５０２に送信されうる。基地局５０２において、端末５０４からのアップリンク信号は、アンテナ５３４によって受信され、復調器５３２によって処理され、適宜、ＭＩＭＯ検出器５３６によって検出され、さらに、受信データプロセッサ５３８によって処理されて、データシンク５３９への供給用に、端末５０４によって送信された復号化パケットおよびメッセージを得うる。
【００６１】
制御装置／プロセッサ５４０および５８０は、それぞれ、基地局５０２および端末５０４での動作を指図しうる。プロセッサ５４０および／または基地局５０２の他のプロセッサおよびモジュールは、ここに説明されている技術のためのプロセスを実行または指図しうる。プロセッサ５８４および／または端末５０４の他のプロセッサおよびモジュールは、ここに説明されている技術のためのプロセスを実行または指図しうる。メモリ５４２および５８２は、それぞれ、基地局５０２および端末５０４のためのデータおよびプログラムコードを記憶しうる。スケジューラ５４４は、ダウンリンクおよび／またはアップリンクでのデータ伝送のために端末をスケジュールし、スケジュールされた端末に、リソースの承認を供給しうる。
【００６２】
図６は、ネットワーク環境内のアクセスポイント基地局の配備を可能にする例示的な通信システムを示す。図６に示されているように、システム６００は、複数のアクセスポイント基地局、すなわちホームノードＢユニット（ＨＮＢｓ）、たとえば、ＨＮＢｓ６１０を含み、それぞれが、対応する小規模ネットワーク環境、たとえば、１つ以上のユーザ居宅６３０に設置され、関連の、ならびに、よその、ユーザ機器（ＵＥ）６２０にサービスするように構成されている。さらに、各ＨＮＢ６１０は、ＤＳＬルータ（図示せず）、またはその代わりに、ケーブルモデム（図示せず）、無線リンク、または他のインターネット接続手段によって、インターネット６４０およびモバイル・オペレータ・コア・ネットワーク６５０に結合される。
【００６３】
ここに説明されている態様は３ＧＰＰの専門用語を使用しているが、本実施形態は、３ＧＰＰ（Ｒｅｌ９９，Ｒｅｌ５，Ｒｅｌ６，Ｒｅｌ７）技術だけでなく、３ＧＰＰ２（１ｘＲＴＴ，１ｘＥＶ−ＤＯ Ｒｅｌ０，ＲｅｖＡ，ＲｅｖＢ）技術および他の周知関連技術にも適用されうることが、理解されるべきである。ここに説明されている、そのような実施形態において、ＨＮＢ６１０のオーナーは、モバイル・オペレータ・コア・ネットワーク６５０によって提供される、モバイルサービス、たとえば、３Ｇモバイルサービスに加入しており、ＵＥ６２０は、マクロセルラー環境および居宅用小規模ネットワーク環境の両方で動作可能である。
【００６４】
アンカーおよび非アンカーキャリアによるマルチキャリア通信
種々の態様により、さまざまなタイプのキャリアが、情報の反復を回避し、それによって、システムのオーバーヘッドを減じるように、異なるタイプのセル内での移動体通信を促進するために提供される。さまざまなキャリアは、アンカーキャリア、非アンカーキャリア、セグメント、等を含みうる。アンカーキャリアは、ＵＥが基地局とアクティブな接続を維持する接続モードと、ＵＥが基地局とアクティブな接続を持たないアイドルモードの両方におけるＵＥｓの通信を促進しうる。そのようなアイドルモードのユーザは、システムをモニタしているのみであり、コールが生成されると、すぐにでもページまたはアクセス要求を受信する。それゆえに、アンカーキャリアは、構成によって、リリース８および／またはＬＴＥ−Ａ（ＬＴＥアドバンスド）のＵＥｓに、同期、システム情報、ページング、データおよび制御を提供するように指定されたキャリアである。所与のセルにはいくつかのアンカーキャリアが存在しうるが、あらゆるセルは、少なくとも１つのアンカーキャリアを必要とする。非アンカーキャリアは、接続モードのＵＥｓのみをサポートするので、システム情報（ＳＩ）等を伝送せず、よって、ＵＥｓをページすることはできない。さまざまな態様によると、マルチキャリア配備の通信システムが開示され、アンカーまたは非アンカーキャリアといった異なるタイプのキャリアは、異なるコネクティビティ状態のＵＥｓにサービスするために、それに関連づけられた異なる能力を持ちうる。
【００６５】
さまざまな種類のキャリアが、１つの態様にしたがって、通信システム内で差別化されうることが、本開示の利益として、理解されるべきである。上記したように、キャリアは、まず、それに関連づけられる情報に基づいて、アンカーまたは非アンカーキャリアであるように、構成されうる。アンカーキャリアは、下位互換性のあるシングルキャリアのアンカー、下位互換性のあるマルチキャリアのアンカー、およびＲｅｌ−８の下位互換性のないアンカーとして、さらに差別化されうる。さらに、他の非アンカーキャリアは、Ｒｅｌ−８の下位互換性のないキャリアを含みうる。セグメントとは、以下に詳しく述べるように、アンカー／非アンカーキャリアとともに通信手段（communication facilities）を提供するが、通信のためにＵＥを独立してサポートすることのできない非キャリアである。
【００６６】
別の態様は、キャリア間の差別化に関し、異なるキャリアが、ＬＴＥ規格の異なるリリースに適合するユーザに、異なるサービスを提供するようになっている。下位互換性のあるシングルキャリアのアンカーキャリアは、ＬＴＥのＲｅｌ−８にアップグレードしたＵＥｓ、および依然としてＲｅｌ−８にアップグレードする必要のあるＵＥｓを含む、異なる種類のＵＥｓにサービスを提供する。さらに、シングルキャリアのアンカーキャリアは、１つのアンカーキャリアのみに関連づけられる情報を含む。たとえば、それは、さまざまな態様によると、ＰＳＳ／ＳＳＳ（第１／第２の同期シーケンス）、Ｒｅｌ−８システム情報（ＳＩ）、ページング等を搬送しうる。このように、下位互換性のあるシングルキャリアのアンカーは、１つのアンカーキャリアのみに関連づけられる情報を含むキャリアであり、それは、ＬＴＥ規格の異なるバージョンを有するユーザに、キャンピング（camping）およびアクセスを提供する。別の態様によると、下位互換性のあるシングルキャリアのアンカーキャリアは、マルチキャリアのアンカーキャリアをさし示す（points）情報を含みうる。このポインタ（pointer）は、関連するマルチキャリアのアンカーキャリアに関連づけられるＳＩを得るのに使用されうる。種々の態様において、ポインタは、特定のバージョンのＬＴＥ規格に申し込んでいるＵＥｓによってのみ使用されうる。たとえば、ポインタは、ＬＴＥ−ＡのＵＥｓのみを対象とし、Ｒｅｌ−８のＵＥｓに透過的（transparent）であることができる。
【００６７】
第２のタイプのアンカーキャリアは、下位互換性のあるマルチキャリアのアンカーである。上記のように、下位互換性のあるキャリアは、異なるバージョンのＬＴＥ規格を有するユーザをサポートする。１つの詳細な態様によると、下位互換性のあるマルチキャリアのアンカーは、異なるＵＥｓに、ＰＳＳ／ＳＳＳ、Ｒｅｌ−８システム情報、ページング等を提供しうる。さらなる態様において、それは、セルのマルチキャリア情報を提供する追加のＳＩＢｓ（システム情報ブロック）において、異なるキャリアに関連づけられる情報を搬送しうる。キャリアの位置、キャリアの帯域幅、キャリアの指定（ＵＬ／ＤＬ）、キャリアのペア、他のアンカーキャリア、および新たな制御領域といったマルチキャリア情報は、すべて、接続モードとアイドルモードの両方の、異なるＬＴＥ規格に申し込んでいるさまざまなＵＥｓに送られうる。このように、それは、他のキャリアについての情報を提供するように構成されているので、ユーザは、所与のマルチキャリアのアンカーから得られた情報に基づいて、他のキャリアをモニタしうる。Ｒｅｌ−８の下位互換性のないアンカーは、ＬＴＥのＲｅｌ−８に申し込んでいるユーザのみをサポートする、第３のタイプのアンカーキャリアである。したがって、それは、ＳＩ、同期、ページング、および他のサービスを送信することにより、ＲＲＣ接続モードまたはＲＲＣアイドルモードの、ＬＴＥ Ｒｅｌ−８に申し込んでいるＵＥｓをサポートする。しかし、Ｒｅｌ−８の下位互換性のないアンカーは、このバージョンのＬＴＥにアップグレードしていないＵＥｓをサポートしない。さらに、Ｒｅｌ−８の下位互換性のないアンカーは、所与のセル内でサービスを提供する他のキャリアを追跡するために、ＵＥによってモニタされうる他のキャリアに関連づけられるマルチキャリアシステム情報を運びうる。
【００６８】
Ｒｅｌ−８の下位互換性のないキャリアは、ＲＲＣ接続状態のＬＴＥ−ＡのＵＥｓにのみ使用される、スタンドアロンのキャリアである。したがって、それは、それにキャンプすることをＵＥｓに許可しない非アンカーキャリアとして指定されうる。結果として、ＳＩの更新は、たとえば、ＳＩが変化し、ユーザがそのような変化の更新を必要とする場合に、マルチキャスト（multi-cast）またはインバンド（in-band）として、イベント主導ベース（event-driven basis）で提供される。それは、ＲＲＣ接続状態におけるＬＴＥ−Ａ ＵＥの同期を維持するために、新たな同期信号を搬送する。同期信号は、省略されることもでき、同期は、ＬＴＥ−ＡのＵＥがそのために構成されている同一のセルの少なくとも１つの他のキャリアで、可能であるようになっている。
【００６９】
図７には、別の態様にしたがい、ダウンリンク（ＤＬ）キャリア７００が、通信を促進するＰＤＣＣＨ（パケットデータ制御チャネル）７０２を供給しているところが示されている。送信は、キャリア０ ７０４、およびセグメント１ ７０６とセグメント２ ７０８の２つのセグメントを含む。上記したように、キャリア７００は、基地局へのＵＥの接続を独立してサポートすることができる。セグメントは、キャリアと併用される、基地局とＵＥの接続をサポートする追加のシグナリングリソースを含むキャリアの拡張部分である。それゆえに、セグメントは、常にキャリアに関連づけられており、基地局とＵＥの通信を独立してサポートすることはできない。１つの態様において、セグメントは、同期信号、ＳＩ（システム情報）、またはページング能力を欠いた、単なるデータの拡張部分として構成される。このように、セグメントとは、それがＲＲＣ（無線リソース制御）接続モードのＵＥｓのみにサービスするためにページング能力を提供しない非アンカーキャリアの概念のさらなる純化である。その代わりに、セグメントは、同期および制御の態様を提供することができる。
【００７０】
例証的な描写において、キャリア０ ７０４は、ＵＥの通信を独立してサポート可能だが、２つのセグメント−それに関連づけられたセグメント１ ７０６およびセグメント２ ７０８の形式で追加のリソースを有する。これらセグメント７０６、７０８の各々は、ＵＥの接続を独立してサポートすることはできないが、単一のキャリア０ ７０４に関連する通信を促進することができる。キャリア０ ７０４は、種々の態様によると、アンカーまたは非アンカーキャリアでありうる。したがって、キャリアをモニタするＵＥは、通信を促進することが可能だが、ＵＥは、それがセグメントのみをモニタしてもサービスを受けることはできない。
【００７１】
したがって、アンカーキャリアは、それが情報の反復を軽減するとシステムのオーバーヘッドが減少するように使用されうる。これは、汎用情報が、キャリアの小さなサブセットに集中させられうる一方で、他のキャリアは、余剰な情報を反復することなく、接続モードのユーザをサポートすることができるからである。さらに、通信システム内のセグメントは、データおよび専用制御チャネルのみを搬送することにより、情報の反復を低減することができるが、定常状態のチャネル（steady state channels）は、どれも、接続モードのユーザをサポートする必要がない。さらに、キャリア内のそのような差別化は、以下にさらに説明されるように、異種環境において、より良好な同期、キャンピングおよびアクセスを促進する。干渉の調整は、少なくとも１つの検出可能（アクセス可能）なアンカーキャリアに備えることができる。
【００７２】
さらに図７を参照すると、複数のキャリアを利用可能な異種システム７２０がマクロセル７２２、ピコセル７２４、およびＣＳＧ（制限されたサービス加入者のグループ）のセル７２６を含んでいるところが、示されている。後者は、フェムトセルを含むことができる。１つの態様によると、マクロ基地局７２８は、高いパワーで送信可能である一方、ピコ基地局７３０およびフェムト基地局７３２は、より低いパワーで送信可能である。このシステムにおいて、サービスは、マクロ基地局７２８が特定のキャリアで伝送するパワーの量を減少させることにより、ピコセル７２４に拡張可能である。したがって、マクロセル７２２は、アンカーキャリアとして特定のキャリアを、非アンカーキャリアとして特定のキャリアを、指定することができる。マクロセル７２２は、アンカーキャリアでは標準のパワーで、非アンカーキャリアでは、ピコ基地局７３０と調和可能な、より低いパワーで、送信することができる。図面において、キャリア１は、マクロセル７２２のためのアンカーキャリアであり、したがって、標準のパワーで送信されるが、キャリア２は、マクロセル７２２のための非アンカーキャリアであり、したがって、ピコセル７２４およびＣＳＧセル７２６に達しない内側の限界７３４で示されているように、より低いパワーで送信されうる。ピコセル７２４は、アンカーキャリアとしてキャリア１およびキャリア２を提供するように構成されうる。ＣＳＧセル７２６は、それに接続することを、権限を与えられた特定のユーザにのみ許可するセルであり、したがって、ＣＳＧのリソースにアクセスするように権限を与えられていないユーザは、ＣＳＧ７３２によって接続することはできない。ＵＥｓがＩＰネットワークによって互いに通信するフェムトセルは、ＣＳＧセルの一例である。ＣＳＧ７３２は、そのリソースにアクセスすることを、全ユーザには許可せず、それは、異種環境内で干渉を引き起こしうる。すなわち、サービスに加入していないＵＥは、相対的に強いキャリアとして、ＣＳＧ７３２によって妨害されうるが、サービスのために、主観的に、より低いパワーのセルを使用しなくてはならない。したがって、そのような干渉からマクロおよびピコ基地局７２２、７２４を保護するために、ＣＳＧセル７２６は、キャリア２でのみ送信し、キャリア１では送信しないように指定されうる。これは、キャリア１での干渉を軽減し、それによって、最も近いマクロ／ピコＢＳ７２８、７３０によって接続するように、ユーザ機器を促進する。
【００７３】
示されているように、キャリア２は、ピコセル７２４内のアンカーキャリアである。したがって、ピコセルでサービスされるＵＥ０ ７３８およびＵＥ１ ７４０は、７４２、７４４でそれぞれ示されているように、ピコアンカーキャリア２でスケジュールされうる。さらに、ＵＥ０ ７３８は、キャリア１でそのＵＥ０ ７３８によって観察されるマクロＢＳ７２８からの干渉が非常に弱いため、７４６で示したキャリア１で、ピコ基地局７３０によってスケジュールされることができる。しかし、ＵＥ１ ７４０は、７４８で示したキャリア１で、マクロＢＳ７２８からのより強い干渉を経験しており、したがって、７４４で示したキャリア２で、ピコＢＳ７３０によってスケジュールされるのみである。ＵＥ２ ７５２およびＵＥ３ ７５４は、マクロＢＳ７２８によってサービスされ、したがって、７５６、７５８でそれぞれ示したマクロアンカーキャリア１で、スケジュールされる。さらに、ＵＥ２ ７５２は、マクロＢＳ７２８からのこの特定のキャリアでのより低い送信パワーにより、キャリア２のカバレッジ範囲７３４の外部にあるＵＥ３ ７５４とは違って、７３４で示すように、キャリア２のカバレッジ範囲内であり、マクロＢＳ７２８に十分に近いため、７６０で示したキャリア２で、マクロＢＳ７２８によってスケジュールされ得る。
【００７４】
ＵＥ４ ７６４およびＵＥ５ ７６６は、ＣＳＧセル７２６のカバレッジ範囲内にあるが、そのリソースにアクセスすることを許可されていない。しかし、これらＵＥｓ７６４、７６６は、マクロアンカーキャリア１へのアクセスを有する。したがって、ＵＥ４ ７６４は、マクロおよびピコセル７２２、７２４の両方のカバレッジエリア内にあるが、それは、マクロセル７２２からの信号がより強いために、マクロセル７２２に、キャリア１で接続されるであろう。同様に、ＵＥ５ ７６６は、キャリア１で、マクロおよびピコセル７２４、７２６の両方のカバレッジエリア内にあるが、それは、ピコセル７２４からの信号がより強いために、７６７で示したように、ピコセル７２４に、このキャリアで接続されるであろう。ＵＥ６ ７６８は、ＣＳＧセル７２６にアクセスする許可を有し、したがって、７７０で示した、そのアンカーキャリア２で、それに接続されるであろう。
【００７５】
図８は、１つの態様に係る、無線通信システムにおける通信を促進する方法８００を示す。方法は、８０２で始まり、１つ以上のアンカーキャリアは、当初、周期的ベースで、セル内のＵＥｓにＳＩを搬送するように、構成されている。上記したとおり、そのようなアンカーキャリアは、ＲＲＣアイドルモードのＵＥｓの通信も、接続モードのＵＥｓの通信も、促進することができる。さらに、８０４では、１つ以上の非アンカーキャリアが、イベント主導ベース（event-driven basis）で、ＳＩを搬送するように構成されている。たとえば、ＳＩが変化した場合に、非アンカーキャリアが、ＵＥｓを更新する必要に基づいて、ＵＥｓに、そのような変化を送信するために用いられうる。しかし、アンカーキャリアと違い、非アンカーキャリアは、接続モードのＵＥｓの通信のみを促進することができるだけで、アイドルモードのＵＥｓの通信を促進することはできない。これは、キャリアが、無線通信システムで送信される情報の反復を減じるように、アンカーと非アンカーキャリアとに構成されていることによって、アンカーキャリアのみが、ページング能力を提供可能となっているためである。したがって、通信を促進するために、各基地局は、それに関連づけられた少なくとも１つのアンカーキャリアを有する。８０６で、アンカーキャリアが、その送信のために基地局によって標準的に使用されるパワーレベルで送信される。８０８で、非アンカーキャリアが、標準のパワーレベルよりも低いパワーレベルで送信され、方法は、この最後のブロックで終了する。アンカー／非アンカーキャリアに関連づけられた送信パワーレベルにおけるこの差別化は、より良好な干渉の調整を促進する。特定のキャリア、たとえば非アンカーキャリアでのパワーレベルを減じることは、アンカーキャリアのような特定の他のキャリアのより深い透過を可能にする。これは、これらのアンカーキャリアへの干渉を軽減し、それにより、少なくとも１つの検出可能（アクセス可能）なアンカーキャリアを提供する。
【００７６】
図９を参照すると、マルチキャリア通信のためのシステム９００が示されている。たとえば、システム９００は、ユーザ機器、移動デバイス、またはアクセス端末内に、少なくとも部分的に存在することができる。システム９００が機能ブロックを含んでいるところが表されており、それらは、コンピュータのプラットフォーム、プロセッサ、ソフトウェア、またはそれらの組合せ（たとえば、ファームウェア）によって実施される機能を表す機能ブロックでありうることが理解されるべきである。システム９００は、共に動作可能な電気コンポーネントの論理グループ９０２を含む。たとえば、論理グループ９０２は、アンカーキャリアを受信するための電気コンポーネントを含むことができる  ９０４。さらに、論理グループ９０２は、別のキャリアにリソースを割り当てるアンカーキャリアで搬送された承認を検出するための電気コンポーネントを含むことができる  ９０６。さらに、論理グループ９０２は、検出された承認にしたがって別のキャリアに割り当てられたリソースを利用するための電気コンポーネントを含むことができる  ９０８。加えて、システム９００は、電気コンポーネント９０４−９０８に関連づけられた機能を実現するための命令を記憶するメモリ９２０を含むことができる。メモリ９２０の外部にあるように示されているが、電気コンポーネント９０４−９０８の１つ以上が、メモリ９２０の内部に存在することもできるということが理解されるべきである。
【００７７】
図１０を参照すると、マルチキャリア通信のためのシステム１０００が示されている。たとえば、システム１０００は、基地局内に少なくとも部分的に存在することができる。システム１０００が機能ブロックを含んでいるところが表されており、それらは、コンピュータのプラットフォーム、プロセッサ、ソフトウェア、またはそれらの組合せ（たとえば、ファームウェア）によって実施される機能を表す機能ブロックでありうることが理解されるべきである。システム１０００は、共に動作可能な電気コンポーネントの論理グループ１００２を含む。たとえば、論理グループ１００２は、アンカーキャリアおよび別のキャリアのためにリソースをスケジュールするための電気コンポーネントを含むことができる  １００４。さらに、論理グループ１００２は、別のキャリアにリソースを割り当てるアンカーキャリアで承認を送信するための電気コンポーネントを含むことができる  １００６。さらに、論理グループ１００２は、承認にしたがって別のキャリアに割り当てられたリソースを利用する受け手と通信するための電気コンポーネントを含むことができる  １００８。加えて、システム１０００は、電気コンポーネント１００４−１００８に関連づけられた機能を実現するための命令を記憶するメモリ１０２０を含むことができる。メモリ１０２０の外部にあるように示されているが、電気コンポーネント１００４−１００８の１つ以上は、メモリ１０２０の内部に存在することもできるということが理解されるべきである。
【００７８】
図１１を参照すると、ノード間のキャリア伝送を調整するためのシステム１１００が示されている。たとえば、システム１１００は、基地局内に少なくとも部分的に存在することができる。システム１１００が機能ブロックを含んでいるところが表されており、それらは、コンピュータのプラットフォーム、プロセッサ、ソフトウェア、またはそれらの組合せ（たとえば、ファームウェア）によって実施される機能を表す機能ブロックでありうることが理解されるべきである。システム１１００は、共に動作可能な電気コンポーネントの論理グループ１１０２を含む。たとえば、論理グループ１１０２は、隣接セルが第２のＵＥに無線サービスを提供するために第２のキャリアを送信する一方で、第１のユーザ機器（ＵＥ）に無線サービスを提供するために第１のキャリアを送信するための電気コンポーネントを含むことができる  １１０４。さらに、論理グループ１１０２は、第１および第２のＵＥが、他方のキャリアからの妨害干渉なしに、各キャリアを受信するように、隣接セルと調整するための電気コンポーネントを含むことができる  １１０６。加えて、システム１１００は、電気コンポーネント１１０４−１１０６に関連づけられた機能を実現するための命令を記憶するメモリ１１２０を含むことができる。メモリ１１２０の外部にあるように示されているが、電気コンポーネント１１０４−１１０６の１つ以上は、メモリ１１２０の内部に存在することもできるということが理解されるべきである。
【００７９】
図１２を参照すると、装置１２０２が、マルチキャリア通信のために提供される。手段１２０４は、アンカーキャリアを受信するために提供される。手段１２０６は、別のキャリアにリソースを割り当てるアンカーキャリアで搬送された承認を検出するために提供される。手段１２０８は、検出された承認にしたがって別のキャリアに割り当てられたリソースを利用するために提供される。
【００８０】
図１３を参照すると、装置１３０２が、マルチキャリア通信のために提供される。手段１３０４は、アンカーキャリアおよび別のキャリアにリソースをスケジュールするために提供される。手段１３０６は、別のキャリアにリソースを割り当てるアンカーキャリアで承認を送信するために提供される。手段１３０８は、承認にしたがって別のキャリアに割り当てられたリソースを利用する受け手と通信するために提供される。
【００８１】
図１４を参照すると、装置１４０２が、ノード間のキャリア伝送を調整するために提供される。手段１４０４は、隣接セルが第２のＵＥに無線サービスを提供するために第２のキャリアを送信する一方で、第１のユーザ機器（ＵＥ）に無線サービスを提供するために第１のキャリアを送信するために提供される。手段１４０６は、第１および第２のＵＥが、他方のキャリアからの妨害干渉なしに、各キャリアを受信するように、隣接セルと調整するために提供される。
【００８２】
当業者は、情報および信号が、任意のさまざまな異なる技術および手法を使用して表されうることを、理解するであろう。たとえば、上記の説明を通して言及されうるデータ、命令、コマンド、情報、信号、ビット、シンボル、およびチップは、電圧、電流、電磁波、磁場または磁性粒子、光場または光粒子、またはそれらの任意の組合せによって、表されることができる。
【００８３】
当業者は、ここに開示された実施形態に関連して説明された、さまざまな例証的な論理ブロック、モジュール、回路、およびアルゴリズムのステップが、電子ハードウェア、コンピュータソフトウェア、または両者の組合せとして実施されうることを、さらに理解するであろう。ハードウェアとソフトウェアのこの相互互換性を明確に説明するために、さまざまな例証的なコンポーネント、ブロック、モジュール、回路、およびステップが、それらの機能性の点で、概して上述されている。そのような機能性がハードウェアで実施されるかソフトウェアで実施されるかどうかは、システム全体に課された特定の用途および設計の制約に依存する。当業者は、特定の用途ごとに、さまざまな方法で、説明された機能性を行うことができるが、そのような実施決定は、本開示の範囲からの逸脱を生ずるものと解釈されるべきではない。
【００８４】
本願で使用されているように、「コンポーネント」、「モジュール」、「システム」等の用語は、コンピュータ関連のエンティティである、ハードウェア、ハードウェアとソフトウェアの組合せ、ソフトウェア、実行中のソフトウェアのどれをも表すものと意図される。たとえば、コンポーネントは、プロセッサで実行中のプロセス、プロセッサ、オブジェクト、プログラムとして実行可能なファイル、実行スレッド、プログラム、および／またはコンピュータでありうるが、これらに限定されるものではない。例として、サーバで実行中のアプリケーションも、サーバも、コンポーネントでありうる。１つ以上のコンポーネントが、プロセスおよび／または実行スレッド内に存在することもでき、１つのコンポーネントが、１つのコンピュータでローカライズされること、および／または、２つ以上のコンピュータ間で分散されることもできる。
【００８５】
「例示的（exemplary）」という語は、例、事例、また実例としての役割を果たす意味で、ここで使用されている。「例示的」であるとしてここに説明された任意の態様または設計が、他の態様または設計よりも、好ましい、または利点があるものと必ずしも考えられるべきではない。
【００８６】
さまざまな態様が、多数のコンポーネント、モジュール等を含むことができるシステムによって提示される。このさまざまなシステムは、追加のコンポーネント、モジュール等を含んでもよく、および／または、図面と関連して論じられたコンポーネント、モジュール等の全部を含まなくてもよいということが、理解され、認められるべきである。また、これらのアプローチの組合せが使用されうる。ここに開示されたさまざまな態様は、タッチスクリーンディスプレイ技術、および／または、マウスおよびキーボードタイプのインターフェースを利用するデバイスを含む、電気デバイスで行われうる。そのようなデバイスの例は、（デスクトップおよびモバイルの）コンピュータ、スマートフォン、携帯情報端末（ＰＤＡｓ）、および、有線および無線の両方の他の電子デバイスを含む。
【００８７】
さらに、ここに開示された実施形態に関連して説明された、さまざまな例証的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、離散ゲートまたはトランジスタ論理、離散ハードウェアコンポーネント、または、ここに説明された機能を行うように設計された、それらの任意の組合せで、実施または実行されうる。汎用プロセッサは、マイクロプロセッサであってもよいが、その代わりに、プロセッサは、任意の従来型のプロセッサ、制御装置、マイクロ制御装置、またはステートマシンであってもよい。プロセッサは、さらに、コンピュータデバイスの組合せ、たとえば、ＤＳＰとマイクロプロセッサの組合せ、複数のマイクロプロセッサ、ＤＳＰコアに結合された１つ以上のマイクロプロセッサ、または任意の他のそのような構成として、実施されてもよい。
【００８８】
さらに、1つ以上の対応物が、開示された態様を行うようにコンピュータを制御するためのソフトウェア、ファームウェア、ハードウェア、またはそれらの任意の組合せを生産するための、標準的なプログラミングおよび／またはエンジニアリング手法を使用した方法、装置、または製造品として、実施されうる。ここで使用されている「製造品」（または、その代わりに「コンピュータプログラム製品」）という語は、任意のコンピュータ可読デバイス、キャリア、または媒体からアクセス可能なコンピュータプログラムを包含することを意図している。たとえば、コンピュータ可読媒体は、磁気記憶デバイス（たとえば、ハードディスク、フロッピー（登録商標）ディスク、磁気ストライプ…）、光ディスク（たとえば、コンパクトディスク（ＣＤ）、デジタル多用途ディスク（ＤＶＤ）…）、スマートカード、およびフラッシュメモリデバイス（たとえば、カード、スティック）を含むことができるが、これらに限定されるものではない。さらに、搬送波は、電子メールの送受信、または、インターネットまたはローカルエリアネットワーク（ＬＡＮ）のようなネットワークへのアクセスで使用されるもののように、コンピュータ可読電子データを搬送するために用いられうることが理解されるべきである。無論、当業者は、多くの変更が、開示された態様の範囲から逸脱することなく、この構成にもたらされうることを認めるであろう。
【００８９】
ここに開示された実施形態に関連して説明されたアルゴリズムまたは方法のステップは、ハードウェアで直接的に、プロセッサによって実行されるソフトウェアモジュールで、または、この２つの組合せで、具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該技術で周知の任意の他の形態の記憶媒体の中に存在することができる。例示的な記憶媒体は、プロセッサに結合されており、そのようなプロセッサは、記憶媒体から情報を読み、記憶媒体に情報を書くことができる。その代わりに、記憶媒体は、プロセッサに統合されてもよい。プロセッサおよび記憶媒体は、ＡＳＩＣの中に存在することができる。ＡＳＩＣは、ユーザ端末の中に存在することができる。その代わりに、プロセッサおよび記憶媒体は、ユーザ端末の中の離散コンポーネントとして存在することもできる。
【００９０】
開示された実施形態についての先の説明は、本開示を製造または使用することを、いずれの当業者にも可能にするように提供されている。これらの実施形態へのさまざまな変更は、当業者には容易に理解されるであろうし、ここに定義された典型的な原理は、開示の範囲または精神から逸脱することなく、他の実施形態に適用されうる。このように、本開示は、ここに示された実施形態に限定されることを意図せず、ここに開示された新規な特徴および原理に一致する最も広い範囲が与えられるべきである。
【００９１】
上記した例示的なシステムにより、開示された主題にしたがって実施されうる方法が、いくつかのフロー図を参照して説明された。説明を簡潔にする目的で、この方法は、ひと続きのブロックとして示され、説明されているが、特許請求の主題は、いくつかのブロックが、ここに示され、説明されているものと異なる順序で、および／または、他のブロックと同時に起こることもあるので、このブロックの順序によって限定されないことが理解され、認められるべきである。また、示されたすべてのブロックが、ここに説明された方法を行うために要求されるわけではない。さらに、ここに開示された方法は、コンピュータへの、そのような方法の移送および転送を容易にするために、製造品に記憶されることができるということが、さらに理解されるべきである。製造品という語は、ここに使用されているように、任意のコンピュータ可読デバイス、キャリア、または媒体からアクセス可能なコンピュータプログラムを含むことを意図する。
【００９２】
全体的に、または部分的に、ここに引用によって組み込まれるとされている、任意の特許、出版物、または他の開示資料は、組み込まれた資料が、既存の定義、記述、またはこの開示で説明された他の開示資料と対立しない程度においてのみ、ここに組み込まれることが理解されるべきである。そのようなものとして、および必要な程度において、ここに明確に説明された開示は、引用によってここに組み込まれた、任意の対立する資料に取って代わる。ここに引用によって組み込まれるとされているが、既存の定義、記述、またはここに説明された他の開示資料と対立する、任意の資料、またはその一部は、その組み込まれた資料と既存の開示資料間で対立が生じない程度においてのみ組み込まれる。
なお、以下に、出願当初の特許請求の範囲に記載された発明を付記する。
［Ｃ１］アンカーキャリアを受信することと、
別のキャリアにリソースを割り当てる前記アンカーキャリアで搬送された承認を検出することと、
前記検出された承認にしたがって、前記別のキャリアで、前記割り当てられたリソースを利用すること
を行うために、コンピュータ可読記憶媒体に記憶された、コンピュータで実行可能な命令を実行するプロセッサを用いること
を含む、マルチキャリア通信のための方法。
［Ｃ２］前記アンカーキャリアで、共通システム情報を検出することと、
前記共通システム情報を使用することにより、前記別のキャリアを捕捉すること
をさらに含む、Ｃ１に記載の方法。
［Ｃ３］前記アンカーキャリアで、専用情報を受信することと、
前記専用情報を使用することにより、前記別のキャリアを捕捉すること
をさらに含む、Ｃ１に記載の方法。
［Ｃ４］非アンカーキャリアのグループのためにリソースを割り当てる前記アンカーキャリアを受信することをさらに含む、Ｃ１に記載の方法。
［Ｃ５］複数のアンカーキャリアの１つを受信することであって、各アンカーキャリアは、キャリアのグループにリソースを割り当てるためのものである、こと
をさらに含む、Ｃ１に記載の方法。
［Ｃ６］非アンカーキャリアを受信することと、
前記非アンカーキャリアにリソースを割り当てる前記非アンカーキャリアで搬送された承認を検出すること
をさらに含む、Ｃ１に記載の方法。
［Ｃ７］リソースの割り当てをもはや要求しない前記別のキャリアの後に、前記アンカーキャリアとして以前に受信された非アンカーキャリアを受信することをさらに含む、Ｃ６に記載の方法。
［Ｃ８］前記アンカーキャリアに同期することにより、シングルキャリア通信を開始することと、
シングルキャリア構成されたユーザ機器のために、前記アンカーキャリアで、承認を検出すること
をさらに含む、Ｃ１に記載の方法。
［Ｃ９］前記アンカーキャリアの第１および第２の同期信号に同期することと、
システムの帯域幅と、物理ハイブリッド自動再送要求インジケータチャネル（ＰＨＩＣＨ）の構成と、システムのフレーム数とを知らせる物理同報チャネルのマスター情報ブロックを検出することと、
前記アンカーキャリアで、リソースのためのダウンリンク共用チャネル（ＤＬ−ＳＣＨ）のシステム情報ブロックを検出すること
をさらに含む、Ｃ８に記載の方法。
［Ｃ１０］セル内周波数間ハンドオーバーによって、別のキャリアへのリダイレクションメッセージを実行することにより、前記シングルキャリア構成されたユーザ機器のために、前記アンカーキャリアで、前記承認を検出することをさらに含む、Ｃ８に記載の方法。
［Ｃ１１］キャリアの位置、キャリアの帯域幅、キャリアのアップリンクまたはダウンリンクの指定、キャリアのペア、および新たな制御領域を含む、前記別のキャリアを利用するための、前記アンカーキャリアの、システム情報ブロックを検出することをさらに含む、Ｃ１に記載の方法。
［Ｃ１２］前記アンカーキャリアで、アップリンクの承認を受信することと、
アップリンクキャリアとの非明示的なペアを判断すること
をさらに含む、Ｃ１に記載の方法。
［Ｃ１３］前記アンカーキャリアで、アップリンクの承認を受信することと、
明示的に特定されたアップリンクキャリアを検出すること
をさらに含む、Ｃ１に記載の方法。
［Ｃ１４］前記アンカーキャリアで、アップリンクの承認を受信することと、
前記アップリンクの承認のリソースの割り当てにしたがい、アップリンクキャリアで、アップリンクキャリア送信を送信することと、
前記アップリンクの承認を送った前記アンカーキャリアで、前記アップリンクキャリア送信の受信の確認応答を受信すること
をさらに含む、Ｃ１に記載の方法。
［Ｃ１５］複数のアップリンクキャリアにリソースを割り当てる前記アンカーキャリアで、アップリンクの承認を受信することと、
前記アップリンクの承認のリソースの割り当てに、それぞれしたがって、前記複数のアップリンクキャリアで、アップリンクキャリア送信を送信することと
をさらに含む、Ｃ１４に記載の方法。
［Ｃ１６］複数のキャリアへの確認応答のマッピングにアクセスすることと、
前記マッピングを利用して、各アップリンクキャリア送信の前記確認応答を読み取ることと、
送信が失敗したと判断された前記アップリンクキャリア送信を再送すること
をさらに含む、Ｃ１５に記載の方法。
［Ｃ１７］アップリンクアンカーキャリアで、複数のダウンリンクキャリアについてのチャネル品質インジケータ（ＣＱＩ）フィードバックを送信することをさらに含む、Ｃ１に記載の方法。
［Ｃ１８］前記アンカーキャリアの追加のシステム情報ブロックを検出することにより、ＣＱＩフィードバック構成を検出することをさらに含む、Ｃ１７に記載の方法。
［Ｃ１９］リソース無線制御（ＲＲＣ）シグナリングを検出することにより、ＣＱＩフィードバック構成を検出することをさらに含む、Ｃ１７に記載の方法。
［Ｃ２０］前記別のキャリアの受信を妨害する干渉を伝達するチャネル品質インジケータ（ＣＱＩ）フィードバックを報告することと、
前記干渉によって妨害されないキャリアにリソースを割り当てる承認を受信することをさらに含む、Ｃ１に記載の方法。
［Ｃ２１］複数のキャリアの再利用のために、サービスするノードまたは干渉するノードのどちらかによる送信パワー制御変更の後に、前記干渉によって妨害されないキャリアにリソースを割り当てる前記承認を受信することをさらに含む、Ｃ１９に記載の方法。
［Ｃ２２］前記アンカーキャリアの受信を妨害する干渉を受信することと、
非アンカーキャリアを含む前記別のキャリアを捕捉することと、
前記非アンカーキャリアにリソースを割り当てる前記非アンカーキャリアで搬送された承認を検出すること
をさらに含む、Ｃ１に記載の方法。
［Ｃ２３］アンカーキャリアを受信するように、コンピュータにさせるための第１の命令のセットと、
別のキャリアにリソースを割り当てる前記アンカーキャリアで搬送された承認を検出するように、前記コンピュータにさせるための第２の命令のセットと、
前記検出された承認にしたがって、前記別のキャリアで、前記割り当てられたリソースを利用するように、前記コンピュータにさせるための第３の命令のセット
を含む、少なくとも１つのプロセッサによって実行される場合にコンポーネントを実現する、コンピュータで実行可能な命令を記憶する、少なくとも１つのコンピュータ可読記憶媒体
を含む、マルチキャリア通信のためのコンピュータプログラム製品。
［Ｃ２４］少なくとも１つのプロセッサと、
アンカーキャリアを受信するための手段と、
別のキャリアにリソースを割り当てる前記アンカーキャリアで搬送された承認を検出するための手段と、
前記検出された承認にしたがって、前記別のキャリアで、前記割り当てられたリソースを利用するための手段
を含む、前記少なくとも１つのプロセッサによって実行される場合にコンポーネントを実現する、コンピュータで実行可能な命令を記憶する、少なくとも１つのコンピュータ可読記憶媒体
を含む、マルチキャリア通信のための装置。
［Ｃ２５］送信機と、
アンカーキャリアを受信するための受信機と、
別のキャリアにリソースを割り当てる前記アンカーキャリアで搬送された承認を検出するためのものであり、前記検出された承認にしたがって、前記別のキャリアで、前記送信機または受信機によって、前記割り当てられたリソースを利用するためのものである、コンピュータのプラットフォーム
を含む、マルチキャリア通信のための装置。
［Ｃ２６］前記コンピュータのプラットフォームは、さらに、前記アンカーキャリアで、共通システム情報を検出するためのものであり、
前記受信機は、さらに、前記共通システム情報を使用することにより、前記別のキャリアを捕捉するためのものである
Ｃ２５に記載の装置。
［Ｃ２７］前記受信機は、さらに、前記アンカーキャリアで専用情報を受信するためのものであり、前記専用情報を使用することにより、前記別のキャリアを捕捉するためのものである、Ｃ２５に記載の装置。
［Ｃ２８］前記受信機は、さらに、非アンカーキャリアのグループのためにリソースを割り当てる、前記アンカーキャリアを受信するためのものである、Ｃ２５に記載の装置。
［Ｃ２９］前記受信機は、さらに、複数のアンカーキャリアの１つを受信するためのものであり、各アンカーキャリアは、キャリアのグループにリソースを割り当てるためのものである、Ｃ２５に記載の装置。
［Ｃ３０］前記受信機は、さらに、非アンカーキャリアを受信するためのものであり、
前記コンピュータのプラットフォームは、さらに、前記非アンカーキャリアにリソースを割り当てる前記非アンカーキャリアで搬送された承認を検出するためのものである
Ｃ２５に記載の装置。
［Ｃ３１］前記受信機は、さらに、リソースの割り当てをもはや要求しない前記別のキャリアの後に、前記アンカーキャリアとして以前に受信された前記非アンカーキャリアを受信するためのものである、Ｃ３０に記載の装置。
［Ｃ３２］前記送信機は、さらに、前記アンカーキャリアに同期することによって、シングルキャリア通信を開始するためのものであり、
前記コンピュータのプラットフォームは、さらに、シングルキャリア構成のユーザ機器のために、前記アンカーキャリアで、承認を検出するためのものである
Ｃ２５に記載の装置。
［Ｃ３３］前記受信機は、さらに、前記アンカーキャリアの第１および第２の同期信号に同期するためのものであり、
前記コンピュータのプラットフォームは、さらに、システムの帯域幅、物理ハイブリッド自動再送要求インジケータチャネル（ＰＨＩＣＨ）構成、システムフレーム数を知らせる物理同報チャネルで、マスター情報ブロックを検出するためのものであり、前記アンカーキャリアで、リソースのためのダウンリンク共用チャネル（ＤＬ−ＳＣＨ）のシステム情報ブロックを検出するためのものである
Ｃ３２に記載の装置。
［Ｃ３４］前記コンピュータのプラットフォームは、さらに、セル内周波数間ハンドオーバーによって、別のキャリアへのリダイレクションメッセージを実行することにより、前記シングルキャリア構成のユーザ機器のために、前記アンカーキャリアで、前記承認を検出するためのものである、Ｃ３２に記載の装置。
［Ｃ３５］前記コンピュータのプラットフォームは、さらに、キャリアの位置、キャリアの帯域幅、キャリアのアップリンクまたはダウンリンクの指定、キャリアのペア、および新たな制御領域を含む、前記別のキャリアを利用するための前記アンカーキャリアのシステム情報ブロックを検出するためのものである、Ｃ２５に記載の装置。
［Ｃ３６］前記受信機は、さらに、前記アンカーキャリアで、アップリンクの承認を受信するためのものであり、
前記コンピュータのプラットフォームは、さらに、アップリンクキャリアに対する非明示的なペアを決定するためのものである
Ｃ２５に記載の装置。
［Ｃ３７］前記受信機は、さらに、前記アンカーキャリアで、アップリンクの承認を受信するためのものであり、
前記コンピュータのプラットフォームは、さらに、明示的に特定されたアップリンクキャリアを検出するためのものである
Ｃ２５に記載の装置。
［Ｃ３８］前記受信機は、さらに、前記アンカーキャリアで、アップリンクの承認を受信するためのものであり、
前記送信機は、さらに、前記アップリンクの承認のリソースの割り当てにしたがって、アップリンクキャリアで、アップリンクキャリア送信を送信するためのものであり、
前記受信機は、さらに、前記アップリンクの承認を送った前記アンカーキャリアで、前記アップリンクキャリア送信の受信の確認応答を受信するためのものである
Ｃ２５に記載の装置。
［Ｃ３９］前記受信機は、さらに、複数のアップリンクキャリアにリソースを割り当てる前記アンカーキャリアで、アップリンクの承認を受信するためのものであり、
前記送信機は、さらに、前記アップリンクの承認のリソースの割り当てに、それぞれしたがって、前記複数のアップリンクキャリアで、アップリンクキャリア送信を送信するＣ３８に記載の装置。
［Ｃ４０］前記コンピュータのプラットフォームは、さらに、複数のキャリアへの確認応答のマッピングにアクセスするためのものであり、前記マッピングを利用して、各アップリンクキャリア送信の前記確認応答を読み取るためのものであり、送信が失敗したと判断された前記アップリンクキャリア送信を再送するためのものである、Ｃ３９に記載の装置。
［Ｃ４１］前記送信機は、さらに、アップリンクアンカーキャリアで複数のダウンリンクキャリアについてのチャネル品質インジケータ（ＣＱＩ）フィードバックを送信するためのものである、Ｃ２５に記載の装置。
［Ｃ４２］前記コンピュータのプラットフォームは、さらに、前記アンカーキャリアで、追加のシステム情報ブロックを検出することにより、ＣＱＩフィードバック構成を検出するためのものである、Ｃ４１に記載の装置。
［Ｃ４３］前記コンピュータのプラットフォームは、さらに、リソース無線制御（ＲＲＣ）シグナリングを検出することにより、ＣＱＩフィードバック構成を検出するためのものである、Ｃ４１に記載の装置。
［Ｃ４４］前記送信機は、さらに、前記別のキャリアの受信を妨害する干渉を伝達するチャネル品質インジケータ（ＣＱＩ）フィードバックを報告するためのものであり、
前記受信機は、さらに、前記干渉によって妨害されないキャリアにリソースを割り当てる承認を受信するためのものである
Ｃ２５に記載の装置。
［Ｃ４５］前記受信機は、さらに、複数のキャリアの再利用のために、サービスするノードまたは干渉するノードのどちらかによる送信パワー制御変更の後に、前記干渉によって妨害されない前記キャリアにリソースを割り当てる前記承認を受信するためものである、Ｃ４４に記載の装置。
［Ｃ４６］前記受信機は、さらに、前記アンカーキャリアの受信を妨害する干渉を受信するためのものであり、非アンカーキャリアを含む前記別のキャリアを捕捉するためのものであり、
前記コンピュータのプラットフォームは、さらに、前記非アンカーキャリアにリソースを割り当てる前記非アンカーキャリアで搬送された承認を検出するためのものである
Ｃ２５に記載の装置。
［Ｃ４７］アンカーキャリアおよび別のキャリアのためにリソースをスケジュールすることと、
前記別のキャリアにリソースを割り当てる前記アンカーキャリアで、承認を送信することと、
前記承認にしたがって、前記別のキャリアで、前記割り当てられたリソースを利用する受け手と通信すること
を行うために、コンピュータ可読記憶媒体に記憶された、コンピュータで実行可能な命令を実行するプロセッサを用いること
を含む、マルチキャリア通信のための方法。
［Ｃ４８］前記別のキャリアを捕捉するために、共通システム情報を判断することと、
前記アンカーキャリアで、前記共通システム情報を送信すること
をさらに含む、Ｃ４７に記載の方法。
［Ｃ４９］前記別のキャリアを捕捉するために、専用情報を判断することと、
前記アンカーキャリアで、前記専用情報を送信すること
をさらに含む、Ｃ４７に記載の方法。
［Ｃ５０］非アンカーキャリアのグループのためにリソースを割り当てる前記アンカーキャリアを送信することをさらに含む、Ｃ４７に記載の方法。
［Ｃ５１］複数のアンカーキャリアの１つを送信することをさらに含み、各アンカーキャリアはキャリアのグループにリソースを割り当てる、Ｃ４７に記載の方法。
［Ｃ５２］前記非アンカーキャリアにリソースを割り当てる前記非アンカーキャリアで、承認を送信することをさらに含む、Ｃ４７に記載の方法。
［Ｃ５３］スケジューリングが非アンカーキャリアにとって必要でないと判断することと、
前記アンカーキャリアとして以前に送信された非アンカーキャリアを送信すること
をさらに含む、Ｃ５２に記載の方法。
［Ｃ５４］シングルキャリア通信の開始を受信することと、
シングルキャリア構成のユーザ機器のために、前記アンカーキャリアで承認を送信すること
をさらに含む、Ｃ４７に記載の方法。
［Ｃ５５］前記アンカーキャリアで、第１および第２の同期信号を送信することと、
システムの帯域幅、物理ハイブリッド自動再送要求インジケータチャネル（ＰＨＩＣＨ）構成、システムフレーム数を知らせる物理同報チャネルのマスター情報ブロックを送信することと、
前記アンカーキャリアで、前記アンカーキャリアのリソースのためのダウンリンク共用チャネル（ＤＬ−ＳＣＨ）のシステム情報ブロックを送信すること
をさらに含む、Ｃ５４に記載の方法。
［Ｃ５６］セル内周波数間ハンドオーバーによって、別のキャリアへのリダイレクションメッセージを送信することにより、前記シングルキャリア構成のユーザ機器のために、前記アンカーキャリアで、前記承認を送信することをさらに含む、Ｃ５４に記載の方法。
［Ｃ５７］キャリアの位置、キャリアの帯域幅、キャリアのアップリンクまたはダウンリンクの指定、キャリアのペア、および新たな制御領域を含む、前記別のキャリアを利用するための、前記アンカーキャリアの、システム情報ブロックを送信することをさらに含む、Ｃ４７に記載の方法。
［Ｃ５８］アップリンクキャリアに対する非明示的なペアとともに、前記アンカーキャリアで、アップリンクの承認を送信することをさらに含む、Ｃ４７に記載の方法。
［Ｃ５９］明示的に特定されたアップリンクのキャリアとともに、前記アンカーキャリアで、アップリンクの承認を送信することをさらに含む、Ｃ４７に記載の方法。
［Ｃ６０］前記アンカーキャリアで、アップリンクの承認を送信することと、
前記アップリンクの承認のリソースの割り当てにしたがって、アップリンクキャリア送信を受信することと、
前記アップリンクの承認を送った前記アンカーキャリアで、前記アップリンクキャリア送信の受信の確認応答を送信すること
をさらに含む、Ｃ４７に記載の方法。
［Ｃ６１］複数のアップリンクキャリアにリソースを割り当てる前記アンカーキャリアで、アップリンクの承認を送信することと、
前記アップリンクの承認のリソースの割り当てに、それぞれしたがって、前記複数のアップリンクキャリアのアップリンクキャリア送信を受信することと
をさらに含む、Ｃ６０に記載の方法。
［Ｃ６２］複数のキャリアへの確認応答のマッピングにアクセスすることと、
前記マッピングを利用して、各アップリンクキャリア送信についての前記確認応答を送信することと、
受信が成功したと確認応答されなかった前記アップリンクキャリア送信の再送を受信すること
をさらに含む、Ｃ６１に記載の方法。
［Ｃ６３］アップリンクのアンカーキャリアで、複数のダウンリンクキャリアについてのチャネル品質インジケータ（ＣＱＩ）フィードバックを受信することをさらに含む、Ｃ４７に記載の方法。
［Ｃ６４］前記アンカーキャリアの追加のシステム情報ブロックにより、ＣＱＩフィードバック構成を送信することをさらに含む、Ｃ６３に記載の方法。
［Ｃ６５］リソース無線制御（ＲＲＣ）シグナリングによって、ＣＱＩフィードバック構成を送信することをさらに含む、Ｃ６３に記載の方法。
［Ｃ６６］前記別のキャリアの受信を妨害する干渉を伝達するチャネル品質インジケータ（ＣＱＩ）フィードバックを受信することと、
前記干渉によって妨害されないキャリアにリソースを割り当てる承認を送信することをさらに含む、Ｃ６３に記載の方法。
［Ｃ６７］複数のキャリアの再利用のために、隣接アンカーキャリアに干渉しないアンカーキャリアを選択すること
をさらに含む、Ｃ６６に記載の方法。
［Ｃ６８］前記隣接アンカーキャリアに干渉することを回避するために、前記アンカーキャリアの送信パワーを調節することをさらに含む、Ｃ６６に記載の方法。
［Ｃ６９］バックホール通信によって、前記隣接アンカーキャリアの送信パワーの調節を要求することをさらに含む、Ｃ６６に記載の方法。
［Ｃ７０］干渉によって妨害されていない前記アンカーキャリアを送信することと、
非アンカーキャリアを含む前記別のキャリアを送信することと、
前記非アンカーキャリアにリソースを割り当てる前記非アンカーキャリアで、承認を送信すること
をさらに含む、Ｃ６６に記載の方法。
［Ｃ７１］アンカーキャリアおよび別のキャリアのためにリソースをスケジュールするように、コンピュータにさせるための第１の命令のセットと、
前記別のキャリアにリソースを割り当てる前記アンカーキャリアで、承認を送信するように、前記コンピュータにさせるための第２の命令のセットと、
前記承認にしたがって、前記別のキャリアで、前記割り当てられたリソースを利用する受け手と通信するように、前記コンピュータにさせるための第３の命令のセット
を含む、少なくとも１つのプロセッサによって実行される場合にコンポーネントを実現する、コンピュータで実行可能な命令を記憶する、少なくとも１つのコンピュータ可読記憶媒体
を含む、マルチキャリア通信のためのコンピュータプログラム製品。
［Ｃ７２］少なくとも１つのプロセッサと、
アンカーキャリアおよび別のキャリアのためにリソースをスケジュールするための手段と、
前記別のキャリアにリソースを割り当てる前記アンカーキャリアで、承認を送信するための手段と、
前記承認にしたがって、前記別のキャリアで、前記割り当てられたリソースを利用する受け手と通信するための手段
を含む、前記少なくとも１つのプロセッサによって実行される場合にコンポーネントを実現する、コンピュータで実行可能な命令を記憶する、少なくとも１つのコンピュータ可読記憶媒体
を含む、マルチキャリア通信のための装置。
［Ｃ７３］受信機と、
アンカーキャリアおよび別のキャリアのために、リソースをスケジュールするためのスケジューラと、
前記別のキャリアにリソースを割り当てる前記アンカーキャリアで、承認を送信するための送信機と、
前記承認にしたがって、前記別のキャリアで、前記割り当てられたリソースを利用する受け手と通信するための受信機
を含む、マルチキャリア通信のための装置。
［Ｃ７４］前記スケジューラは、さらに、前記別のキャリアを捕捉するために、共通システム情報を判断するためのものであり、
前記送信機は、さらに、前記アンカーキャリアで、前記共通システム情報を送信するためのものである、
Ｃ７３に記載の装置。
［Ｃ７５］前記スケジューラは、さらに、前記別のキャリアを捕捉するために、専用情報を判断するためのものであり、
前記送信機は、さらに、前記アンカーキャリアで、前記専用情報を送信するためのものである、
Ｃ７３に記載の装置。
［Ｃ７６］前記送信機は、さらに、非アンカーキャリアのグループのためにリソースを割り当てる前記アンカーキャリアを送信するためのものである、Ｃ７３に記載の装置。
［Ｃ７７］前記送信機は、さらに、複数のアンカーキャリアの１つを送信するためのものであり、各アンカーキャリアは、キャリアのグループにリソースを割り当てるためのものである、Ｃ７３に記載の装置。
［Ｃ７８］前記送信機は、さらに、前記非アンカーキャリアにリソースを割り当てる前記非アンカーキャリアで承認を送信するためのものである、Ｃ７３に記載の装置。
［Ｃ７９］前記スケジューラは、さらに、スケジューリングが非アンカーキャリアにとって必要でないと判断するためのものであり、
前記送信機は、さらに、前記アンカーキャリアとして以前に送信された非アンカーキャリアを送信するためのものである
Ｃ７８に記載の装置。
［Ｃ８０］前記受信機は、さらに、シングルキャリア通信の開始を受信するためのものであり、
前記送信機は、さらに、シングルキャリア構成のユーザ機器のために、前記アンカーキャリアで承認を送信するためのものである、
Ｃ７３に記載の装置。
［Ｃ８１］前記送信機は、さらに、前記アンカーキャリアで、第１および第２の同期信号を送信するためのものであり、システムの帯域幅、物理ハイブリッド自動再送要求インジケータチャネル（ＰＨＩＣＨ）構成、システムフレーム数を知らせる物理同報チャネルのマスター情報ブロックを送信するためのものであり、前記アンカーキャリアで、前記アンカーキャリアのリソースのために、ダウンリンク共用チャネル（ＤＬ−ＳＣＨ）のシステム情報ブロックを送信する、Ｃ８０に記載の装置。
［Ｃ８２］前記送信機は、さらに、セル内周波数間ハンドオーバーによって、別のキャリアにリダイレクションメッセージを送信することにより、前記シングルキャリア構成のユーザ機器のために、前記アンカーキャリアで、前記承認を送るためのものである、Ｃ８０に記載の装置。
［Ｃ８３］前記送信機は、さらに、キャリアの位置、キャリアの帯域幅、キャリアのアップリンクまたはダウンリンクの指定、キャリアのペア、および新たな制御領域を含む、前記別のキャリアを利用するための、前記アンカーキャリアの、システム情報ブロックを送信するためのものである、Ｃ７３に記載の装置。
［Ｃ８４］前記送信機は、さらに、アップリンクキャリアに対する非明示的なペアとともに、前記アンカーキャリアで、アップリンクの承認を送信するためのものである、Ｃ７３に記載の装置。
［Ｃ８５］前記送信機は、さらに、明示的に特定されたアップリンクキャリアとともに、前記アンカーキャリアで、アップリンクの承認を送信するためのものである、Ｃ７３に記載の装置。
［Ｃ８６］前記送信機は、さらに、前記アンカーキャリアで、アップリンクの承認を送信するためのものであり、
前記受信機は、さらに、前記アップリンクの承認のリソースの割り当てにしたがって、アップリンクのキャリアを受信するためのものであり、
前記送信機は、さらに、前記アップリンクの承認を送った前記アンカーキャリアで、アップリンクキャリア送信の受信の確認応答を送信するためのものである
Ｃ７３に記載の装置。
［Ｃ８７］複数のアップリンクキャリアにリソースを割り当てる前記アンカーキャリアで、アップリンクの承認を送信することと、
前記アップリンクの承認のリソースの割り当てに、それぞれしたがって、前記複数のアップリンクキャリアのアップリンクキャリア送信を受信すること
をさらに含む、Ｃ８６に記載の装置。
［Ｃ８８］複数のキャリアへの確認応答のマッピングにアクセスすることと、
前記マッピングを利用して、各アップリンクキャリア送信の前記確認応答を送信することと、
受信が成功したと確認応答されなかったアップリンクキャリア送信の再送を受信すること
をさらに含む、Ｃ８７に記載の装置。
［Ｃ８９］アップリンクのアンカーキャリアで、複数のダウンリンクキャリアについてのチャネル品質インジケータ（ＣＱＩ）フィードバックを受信することをさらに含む、Ｃ７３に記載の装置。
［Ｃ９０］前記アンカーキャリアの追加のシステム情報ブロックにより、ＣＱＩフィードバック構成を送信することをさらに含む、Ｃ８９に記載の装置。
［Ｃ９１］リソース無線制御（ＲＲＣ）シグナリングによって、ＣＱＩフィードバック構成を送信することをさらに含む、Ｃ８９に記載の装置。
［Ｃ９２］前記別のキャリアの受信を妨害する干渉を伝達するチャネル品質インジケータ（ＣＱＩ）フィードバックを受信することと、
前記干渉によって妨害されないキャリアにリソースを割り当てる承認を送信することをさらに含む、Ｃ７３に記載の装置。
［Ｃ９３］複数のキャリアの再利用のために、隣接アンカーキャリアに干渉しないアンカーキャリアを選択すること
をさらに含む、Ｃ９２に記載の装置。
［Ｃ９４］前記隣接アンカーキャリアに干渉することを回避するために、前記アンカーキャリアの送信パワーを調節することをさらに含む、Ｃ９２に記載の装置。
［Ｃ９５］バックホール通信によって、前記隣接アンカーキャリアの送信パワーの調節を要求することをさらに含む、Ｃ９２に記載の装置。
［Ｃ９６］干渉によって妨害されていない前記アンカーキャリアを送信することと、
非アンカーキャリアを含む前記別のキャリアを送信することと、
前記非アンカーキャリアにリソースを割り当てる前記非アンカーキャリアで承認を送信すること
をさらに含む、Ｃ９２に記載の装置。
［Ｃ９７］以下の動作：
隣接セルが、第２のＵＥに無線サービスを提供するために、第２のキャリアを送信する一方で、第１のユーザ機器（ＵＥ）に無線サービスを提供するために、第１のキャリアを送信することと、
前記第１および第２のＵＥが、それぞれの他方のキャリアからの妨害干渉なしに、各キャリアを受信するように、前記隣接セルと調整すること
を行うために、コンピュータ可読記憶媒体に記憶された、コンピュータで実行可能な命令を実行するプロセッサを用いること
を含む、ノード間のキャリア伝送を調整するための方法。
［Ｃ９８］第１および第２のキャリアのために、非干渉周波数帯域の選択を調整することをさらに含む、Ｃ９７に記載の方法。
［Ｃ９９］アンカーキャリアとして、前記第１のキャリアによってスケジュールされた非アンカーキャリアを送信することであって、前記非アンカーキャリアは、前記隣接セルの前記第２のキャリアに干渉する周波数帯域を含む、ことと、
妨害干渉を回避するために、前記非アンカーキャリアの送信パワーを減少させることをさらに含む、Ｃ９７に記載の方法。
［Ｃ１００］前記隣接セルは、アンカーキャリアとして前記第２のキャリアをスケジュールするアンカーキャリアを送信し、前記非アンカーキャリアは、前記第１のキャリアに干渉する周波数帯域を含み、前記方法は、妨害干渉を回避するために、前記非アンカーキャリアの送信パワーの減少を調整することをさらに含む、Ｃ９７に記載の方法。
［Ｃ１０１］非協同セルが、前記第１のキャリアへの妨害干渉を作り出す第３のキャリアを送信し、前記方法は、
前記第３のキャリアによって干渉されない周波数帯域で、非アンカーキャリアを送信することと、
前記非アンカーキャリアによって、前記非アンカーキャリアのためのリソースをスケジュールすること
をさらに含む、Ｃ９７に記載の方法。
［Ｃ１０２］隣接セルが、第２のＵＥに無線サービスを提供するために、第２のキャリアを送信する一方で、第１のユーザ機器（ＵＥ）に無線サービスを提供するために、第１のキャリアを送信するように、コンピュータにさせるための第１の命令のセットと、
前記第１および第２のＵＥが、他方のキャリアからの妨害干渉なしに、各キャリアを受信するように、前記隣接セルと調整するように、前記コンピュータにさせるための第２の命令のセット
を含む、少なくとも１つのプロセッサによって実行される場合にコンポーネントを実現する、コンピュータで実行可能な命令を記憶する、少なくとも１つのコンピュータ可読記憶媒体
を含む、ノード間のキャリア伝送を調整するためのコンピュータプログラム製品。
［Ｃ１０３］少なくとも１つのプロセッサと、
隣接セルが、第２のＵＥに無線サービスを提供するために、第２のキャリアを送信する一方で、第１のユーザ機器（ＵＥ）に無線サービスを提供するために、第１のキャリアを送信するための手段と、
前記第１および第２のＵＥが、他方のキャリアからの妨害干渉なしに、各キャリアを受信するように、前記隣接セルと調整するための手段
を含む、前記少なくとも１つのプロセッサによって実行される場合にコンポーネントを実現する、コンピュータで実行可能な命令を記憶する、少なくとも１つのコンピュータ可読記憶媒体
を含む、ノード間のキャリア伝送を調整するための装置。
［Ｃ１０４］受信機と、
隣接セルが、第２のＵＥに無線サービスを提供するために、第２のキャリアを送信する一方で、第１のユーザ機器（ＵＥ）に無線サービスを提供するために、第１のキャリアを送信するための送信機と、
前記第１および第２のＵＥが、他方のキャリアからの妨害干渉なしに、各キャリアを受信するように、前記隣接セルと調整するためのスケジューラ
を含む、ノード間のキャリア伝送を調整するための装置。
［Ｃ１０５］前記スケジューラは、さらに、第１および第２のキャリアのための非干渉周波数帯域の選択を調整するためのものである、Ｃ１０４に記載の装置。
［Ｃ１０６］前記送信機は、さらに、アンカーキャリアとして前記第１のキャリアによってスケジュールされた非アンカーキャリアを送信するためのものであり、前記非アンカーキャリアは、前記隣接セルの前記第２のキャリアに干渉する周波数帯域を含み、妨害干渉を回避するために、前記非アンカーキャリアの送信パワーを減少させるためのものである、Ｃ１０４に記載の装置。
［Ｃ１０７］前記隣接セルは、アンカーキャリアとして前記第２のキャリアをスケジュールする、アンカーキャリアを送信し、前記非アンカーキャリアは、前記第１のキャリアに干渉する周波数帯域を含み、前記スケジューラは、さらに、妨害干渉を回避するために、前記非アンカーキャリアの送信パワーの減少を調整するためのものである、Ｃ１０４に記載の装置。
［Ｃ１０８］非協同セルは、前記第１のキャリアへの妨害干渉を作り出す、第３のキャリアを送信し、前記送信機は、さらに、前記第３のキャリアによって干渉されない周波数帯域で、非アンカーキャリアを送信するためのものであり、
前記スケジューラは、さらに、前記非アンカーキャリアによって、前記非アンカーキャリアのためのリソースをスケジュールするためのものである
Ｃ１０４に記載の装置。
【図１】
0005485269.tif 000002
【図２】
0005485269.tif 000003
【図３】
0005485269.tif 000004
【図４】
0005485269.tif 000005
【図５】
0005485269.tif 000006
【図６】
0005485269.tif 000007
【図７】
0005485269.tif 000008
【図８】
0005485269.tif 000009
【図９】
0005485269.tif 000010
【図１０】
0005485269.tif 000011
【図１１】
0005485269.tif 000012
【図１２】
0005485269.tif 000013
【図１３】
0005485269.tif 000014
【図１４】
0005485269.tif 000015